(57)【要約】      （修正有）【課題】ゴルフクラブヘッドの内部キャビティに、弾性ポリマー材料又はエラストマー材料を充填する方法を提供する。【解決手段】フェース部のバック面に塗布された結合部であって、第１の温度でフェース部のバック面に結合された結合部と、ゴルフボールの衝突時にフェース部を構造的に支持するように、内部キャビティに接続された第１のポート又は第２のポートから内部キャビティに射出成型された弾性ポリマー材料と、を備えたゴルフクラブヘッドであって、弾性ポリマー材料は、第１の温度よりも高い第２の温度で前記結合部に結合されたことを特徴とするゴルフクラブヘッド。【選択図】図４５
2018138196.tif 000002
【特許請求の範囲】
【請求項１】
トウ部と、ヒール部と、トップ部と、ソール部と、バック部と、フロント部とを有するボディ部であって、前記バック部は前記ボディ部の水平中央平面よりも上側の第１のポートと前記ボディ部の水平中央平面よりも下側の第２のポートとを少なくとも有し、前記フロント部はフロント面とバック面の間に厚さのあるフェース部を有し、前記厚さは１．５ミリメートル（０．０６インチ）以下である、前記ボディ部と、
前記トップ部と前記ソール部の間、及び前記フェース部と前記バック部の間に延びる内部キャビティであって、前記第１のポート又は前記第２のポートの少なくとも一方が前記内部キャビティに接続された、前記内部キャビティと、
前記内部キャビティに接続された前記第１のポート又は前記第２のポートの少なくとも一方から前記フェース部の前記バック面に塗布された結合部であって、第１の温度で前記フェース部の前記バック面に結合された、前記結合部と、
ゴルフボールの衝突時に前記フェース部を構造的に支持するように、前記内部キャビティに接続された前記第１のポート又は前記第２のポートの少なくとも一方から前記内部キャビティに射出成型された弾性ポリマー材料と、
を備えたゴルフクラブヘッドであって、
前記弾性ポリマー材料は、前記第１の温度よりも高い第２の温度で前記結合部に結合されたことを特徴とするゴルフクラブヘッド。
【請求項２】
請求項１に記載のゴルフクラブヘッドにおいて、
前記結合部は、結合剤であり、前記第１の温度は、前記結合剤の初期硬化状態温度範囲内であることを特徴とするゴルフクラブヘッド。
【請求項３】
請求項１に記載のゴルフクラブヘッドにおいて、
前記結合部は、結合剤であり、前記第２の温度は、前記結合剤の最終硬化状態温度範囲内であることを特徴とするゴルフクラブヘッド。
【請求項４】
請求項１に記載のゴルフクラブヘッドにおいて、
前記結合部は、前記弾性ポリマー材料が前記結合部に結合される前に、前記フェース部の前記バック面に結合されることを特徴とするゴルフクラブヘッド。
【請求項５】
請求項１に記載のゴルフクラブヘッドにおいて、
前記弾性ポリマー材料は、熱可塑性エラストマー材料又は熱可塑性ポリウレタン材料の少なくとも１つを含むことを特徴とするゴルフクラブヘッド。
【請求項６】
請求項１に記載のゴルフクラブヘッドにおいて、
前記結合部は、前記フェース部の前記バック面に結合剤の均一な被膜又は略均一な被膜を有することを特徴とするゴルフクラブヘッド。
【請求項７】
請求項１に記載のゴルフクラブヘッドにおいて、
前記フェース部は、前記トップ部又はその近傍から前記ソール部又はその近傍まで略均一な厚さを有することを特徴とするゴルフクラブヘッド。
【請求項８】
トウ部と、ヒール部と、トップ部と、ソール部と、バック部と、フロント部とを有するボディ部であって、前記バック部は前記ボディ部の水平中央平面よりも下側に複数のポートを有し、前記フロント部はフロント面とバック面があるフェース部を有する、前記ボディ部と、
前記トップ部と前記ソール部の間、及び前記フェース部と前記バック部の間に延びる内部キャビティであって、前記複数のポートのうちの少なくとも１つのポートが前記内部キャビティに接続された、前記内部キャビティと、
前記少なくとも１つのポートから前記フェース部の前記バック面に塗布される結合部であって、前記フェース部の前記バック面に結合された、前記結合部と、
ゴルフボールの衝突時に前記フェース部を構造的に支持するように、前記少なくとも１つのポートから前記内部キャビティに射出成型された弾性ポリマー材料と、
を備えたゴルフクラブヘッドであって、
前記弾性ポリマー材料は、前記内部キャビティに射出成型された後に前記結合部に結合されたことを特徴とするゴルフクラブヘッド。
【請求項９】
請求項８に記載のゴルフクラブヘッドにおいて、
前記結合部は、第１の温度で前記フェース部に結合され、前記弾性ポリマー材料は、前記第１の温度より高い第２の温度で前記結合部に結合されたことを特徴とするゴルフクラブヘッド。
【請求項１０】
請求項８に記載のゴルフクラブヘッドにおいて、
前記結合部は、結合剤であり、前記結合剤は、前記結合剤の初期硬化状態温度範囲内の温度で前記フェース部に結合されたことを特徴とするゴルフクラブヘッド。
【請求項１１】
請求項８に記載のゴルフクラブヘッドにおいて、
前記結合部は、結合剤であり、前記弾性ポリマー材料は、前記結合剤の最終硬化状態温度範囲内の温度で前記結合部に結合されたことを特徴とするゴルフクラブヘッド。
【請求項１２】
請求項８に記載のゴルフクラブヘッドにおいて、
前記弾性ポリマー材料は、熱可塑性エラストマー材料又は熱可塑性ポリウレタン材料の少なくとも１つを含むことを特徴とするゴルフクラブヘッド。
【請求項１３】
請求項８に記載のゴルフクラブヘッドにおいて、
前記フェース部は、フロント面とバック面の間に１．５ミリメートル（０．０６インチ）以下の厚さを有することを特徴とするゴルフクラブヘッド。
【請求項１４】
請求項８に記載のゴルフクラブヘッドにおいて、
前記フェース部は、前記トップ部又はその近傍から前記ソール部又はその近傍まで略均一な厚さを有し、前記略均一な厚さは、前記フロント面と前記バック面の間で１．５ミリメートル（０．０６インチ）以下であることを特徴とするゴルフクラブヘッド。
【請求項１５】
請求項８に記載のゴルフクラブヘッドにおいて、
前記結合部は、前記フェース部の前記バック面に結合剤の均一な被膜又は略均一な被膜を有することを特徴とするゴルフクラブヘッド。
【請求項１６】
トウ部と、ヒール部と、トップ部と、ソール部と、バック部と、フロント部とを有するボディ部であって、前記バック部は少なくとも１つのポートを有すると共に前記ボディ部の水平中央平面よりも下側に複数のウェイト部を更に有し、前記フロント部はフロント面とバック面があるフェース部を有する、前記ボディ部と、
前記トップ部と前記ソール部の間、及び前記フェース部と前記バック部の間に延びる内部キャビティであって、前記少なくとも１つのポートが前記内部キャビティに接続された、前記内部キャビティと、
初期硬化状態及び前記初期硬化状態とは異なる結合形態の最終硬化状態を有する結合部であって、前記少なくとも１つのポートから前記フェース部の前記バック面に塗布されると共に前記初期硬化状態で前記フェース部の前記バック面に結合するように構成された、前記結合部と、
ゴルフボールの衝突時に前記フェース部を構造的に支持するように、前記少なくとも１つのポートから前記内部キャビティに射出成型された弾性ポリマー材料であって、前記結合部が前記最終硬化状態で前記フェース部の前記バック面に前記弾性ポリマー材料で結合するように構成された、前記弾性ポリマー材料と、
を備えたことを特徴とするゴルフクラブヘッド。
【請求項１７】
請求項１６に記載のゴルフクラブヘッドにおいて、
前記結合部の前記初期硬化状態は、前記結合部の初期硬化状態温度範囲内の第１の温度で活性化され、前記結合部の前記最終硬化状態は、前記結合部の最終硬化状態温度範囲内の第２の温度で活性化され、前記第２の温度は、前記第１の温度より高いことを特徴とするゴルフクラブヘッド。
【請求項１８】
請求項１６に記載のゴルフクラブヘッドにおいて、
前記弾性ポリマー材料は、熱可塑性エラストマー材料又は熱可塑性ポリウレタン材料の少なくとも１つを含むことを特徴とするゴルフクラブヘッド。
【請求項１９】
請求項１６に記載のゴルフクラブヘッドにおいて、
前記フェース部は、フロント面とバック面の間に１．５ミリメートル（０．０６インチ）以下の厚さを有することを特徴とするゴルフクラブヘッド。
【請求項２０】
請求項１６に記載のゴルフクラブヘッドにおいて、
前記フェース部は、前記トップ部又はその近傍から前記ソール部又はその近傍まで略均一な厚さを有し、前記略均一な厚さは、前記フロント面と前記バック面の間で１．５ミリメートル（０．０６インチ）以下であることを特徴とするゴルフクラブヘッド。
【発明の詳細な説明】
【技術分野】
【０００１】
［著作権表示］
本開示は、著作権による保護の対象となり得る。著作権者は、特許商標庁の特許ファイル又は記録に表れるように、本開示又はその関連文書が何人かによりファクシミリ複製されることに異議を持たないが、そうでない場合には全ての著作権を留保する。
【０００２】
［関連出願の相互参照］
本出願は、2015年2月19日に出願された米国仮出願第62/118,403号、2015年5月11日に出願された米国仮出願第62/159,856号、2015年8月25日に出願された米国仮出願第62/209,780号、2016年1月6日に出願された米国仮出願第62/275,443号、2016年1月8日に出願された米国仮出願62/276,358号、及び、2016年1月12日に出願された米国仮出願62/277,636号の利益を主張する。本出願は、2014年8月25日に出願された米国仮出願第62/041,538号の利益を主張する、2014年9月26日に出願された米国非仮出願第14/498,603号の継続出願である、2015年1月5日に出願された米国非仮出願第14/589,277号の継続出願である。本出願はまた、2014年8月25日に出願された米国仮出願第62/041,538号の利益を主張する、2014年9月26日に出願された米国非仮出願第14/498,603号の継続出願である、2014年10月13日に出願された米国非仮出願第14/513,073号の継続出願である、2015年1月5日に出願された米国非仮出願第14/589,277号の一部継続出願である、2015年5月13日に出願された米国非仮出願第14/711,596号の一部継続出願である。本出願はまた、2014年8月29日に出願された米国出願第29/501,006号の一部継続出願である、2015年1月20日に出願された米国出願29/515,013号の一部継続出願である。本出願はまた、2015年8月25日に出願された米国出願第29/537,413号の一部継続出願である、2015年9月21日に出願された米国出願29/540,066号の一部継続出願である、2015年12月7日に出願された米国出願29/547,678号の一部継続出願である。参照出願の開示は、参照により本明細書に組み込まれる。
【０００３】
［技術分野］
本開示は、一般にゴルフ用品に関し、より具体的には、ゴルフクラブヘッド及びゴルフクラブヘッド製造方法に関する。
【背景技術】
【０００４】
種々の材料（例えば、鋼系材料、チタン系材料、タングステン系材料、等）は、ゴルフクラブの製造に使用することができる。ゴルフクラブヘッドの製造に複数の材料を用いることで、ゴルフクラブヘッドの重心（ＣＧ）の位置及び／又は慣性モーメント（ＭＯＩ）を、ゴルフボールの特定の弾道とスピン量を生み出すように最適化することができる。
【図面の簡単な説明】
【０００５】
【図１】図１は、本明細書に記載の器具、方法及び製造物の一実施形態に関するゴルフクラブヘッドの正面図である。
【０００６】
【図２】図２は、図１に例示したゴルフクラブヘッドの背面図である。
【０００７】
【図３】図３は、図１に例示したゴルフクラブヘッドの平面図である。
【０００８】
【図４】図４は、図１に例示したゴルフクラブヘッドの底面図である。
【０００９】
【図５】図５は、図１に例示したゴルフクラブヘッドの左側面図である。
【００１０】
【図６】図６は、図１に例示したゴルフクラブヘッドの右側面図である。
【００１１】
【図７】図７は、図１に例示したゴルフクラブヘッドの７−７線に沿った断面図である。
【００１２】
【図８】図８は、図１に例示したゴルフクラブヘッドの８−８線に沿った断面図である。
【００１３】
【図９】図９は、図１に例示したゴルフクラブヘッドの９−９線に沿った断面図である。
【００１４】
【図１０】図１０は、図１に例示したゴルフクラブヘッドの別の背面図である。
【００１５】
【図１１】図１１は、図１に例示したゴルフクラブヘッドに関連するウェイト部の平面図である。
【００１６】
【図１２】図１２は、図１に例示したゴルフクラブヘッドに関連するウェイト部の側面図である。
【００１７】
【図１３】図１３は、図１に例示したゴルフクラブヘッドに関連する別のウェイト部の側面図である。
【００１８】
【図１４】図１４は、図１に例示したゴルフクラブヘッドのボディ部の背面図である。
【００１９】
【図１５】図１５は、図１に例示したゴルフクラブヘッドのフェース部の断面図である。
【００２０】
【図１６】図１６は、図１に例示したゴルフクラブヘッドの別のフェース部の断面図である。
【００２１】
【図１７】図１７は、本明細書に例示したゴルフクラブヘッドを製造する１つの方法を示す図である。
【００２２】
【図１８】図１８は、図４に例示したゴルフクラブヘッドの１８−１８線に沿った別の断面図である。
【００２３】
【図１９】図１９は、図１に例示したゴルフクラブヘッドのフェース部の正面図である。
【００２４】
【図２０】図２０は、図１９のフェース部の背面図である。
【００２５】
【図２１】図２１は、図１９のフェース部の溝の一例の断面図である。
【００２６】
【図２２】図２２は、図１９のフェース部の溝の別の例の断面図である。
【００２７】
【図２３】図２３は、図１９のフェース部の溝の更に別の例の断面図である。
【００２８】
【図２４】図２４は、図１９のフェース部の溝の更に別の例の断面図である。
【００２９】
【図２５】図２５は、図１に例示したゴルフクラブヘッドのフェース部の別の例の背面図である。
【００３０】
【図２６】図２６は、図１に例示したゴルフクラブヘッドのフェース部の更に別の例の背面図である。
【００３１】
【図２７】図２７は、図１に例示したゴルフクラブヘッドのフェース部の更に別の例の背面図である。
【００３２】
【図２８】図２８は、図１に例示したゴルフクラブヘッドの断面図である。
【００３３】
【図２９】図２９は、本明細書に例示したゴルフクラブヘッドを製造する別の方法を示す図である。
【００３４】
【図３０】図３０は、本明細書に例示したゴルフクラブヘッドを製造する更に別の方法を示す図である。
【００３５】
【図３１】図３１は、本明細書に記載の器具、方法及び製造物の一実施形態に関するゴルフクラブヘッドの背面図である。
【００３６】
【図３２】図３２は、図３１のゴルフクラブヘッドの背面図である。
【００３７】
【図３３】図３３は、本明細書に記載の器具、方法及び製造物の一実施形態に関するゴルフクラブヘッドの正面図である。
【００３８】
【図３４】図３４は、図３３に例示したゴルフクラブヘッドの背面図である。
【００３９】
【図３５】図３５は、図３３に例示したゴルフクラブヘッドの背面斜視図である。
【００４０】
【図３６】図３６は、図３３に例示したゴルフクラブヘッドの背面図である。
【００４１】
【図３７】図３７は、図３３に例示したゴルフクラブヘッドの図３６に示す３７−３７線に沿った断面図である。
【００４２】
【図３８】図３８は、図３３に例示したゴルフクラブヘッドの図３６に示す３８−３８線に沿った断面図である。
【００４３】
【図３９】図３９は、図３３に例示したゴルフクラブヘッドの図３６に示す３９−３９線に沿った断面図である。
【００４４】
【図４０】図４０は、図３３に例示したゴルフクラブヘッドの図３６に示す４０−４０線に沿った断面図である。
【００４５】
【図４１】図４１は、図３３に例示したゴルフクラブヘッドの図３６に示す４１−４１線に沿った断面図である。
【００４６】
【図４２】図４２は、図３３に例示したゴルフクラブヘッドの図３６に示す４２−４２線に沿った断面図である。
【００４７】
【図４３】図４３は、本明細書に例示したゴルフクラブヘッドを製造する更に別の方法を示す図である。
【００４８】
【図４４】図４４は、本明細書に例示したゴルフクラブヘッドを製造する更に別の方法を示す図である。
【００４９】
【図４５】図４５は、結合剤を硬化させる例を示す図である。
【発明を実施するための形態】
【００５０】
説明の簡素化及び明確化のために、図面は構造を一般的な方法で示し、周知の機能及び技術の説明及び詳細は本開示を不必要に不明瞭にすることを避けるために省略される。また、図面中の要素は一定の縮尺で描かれないことがある。例えば、図面中の一部の要素の寸法は、本開示の実施例の理解の改善を助けるために他の要素に対して誇張され得る。
【００５１】
一般に、ゴルフクラブヘッド及びゴルフクラブヘッド製造方法が本明細書に記載される。本明細書に記載の器具、方法、及び製造物は、これに限定されない。
【００５２】
図１−１４の例では、ゴルフクラブヘッド１００は、ボディ部１１０（図１４）と、概して第１セットのウェイト部１２０（例えば、図示のウェイト部１２１、１２２、１２３、及び１２４）及び第２セットのウェイト部１３０（例えば、図示のウェイト部１３１、１３２、１３３、１３４、１３５、１３６、及び１３７）として示される、２以上のウェイト部を含んでもよい。ボディ部１１０は、トウ部１４０、ヒール部１５０、フロント部１６０、バック部１７０、トップ部１８０、及びソール部１９０を含んでもよい。ボディ部１１０は、第１の材料で作製され得る一方で、第１及び第２セットのウェイト部１２０、１３０は、それぞれ、第２の材料で作製され得る。第１及び第２の材料は、類似の材料でもよく、異なる材料でもよい。例えば、ボディ部１１０は、部分的に又は完全に、鋼系材料（例えば、１７−４ＰＨステンレス鋼、Ｎｉｔｒｏｎｉｃ（登録商標）５０ステンレス鋼、マレージング鋼又は他のタイプのステンレス鋼）、チタン系材料、アルミニウム系材料（例えば、高強度アルミニウム合金又は高強度合金で被覆された複合アルミニウム合金）、それらの任意の組み合わせ、及び／又は他の適切なタイプの材料で作製されてもよい。第１及び第２セットのウェイト部１２０、１３０は、それぞれ、部分的に又は完全に、タングステン系材料のような高密度材料又は他の適切なタイプの材料で作製されてもよい。あるいは、ボディ部１１０及び／又は第１及び第２セットのウェイト部１２０、１３０は、それぞれ、部分的に又は完全に、非金属材料（例えば、複合材料、プラスチック、等）で作製されてもよい。器具、方法、及び製造物は、これに限定されない。
【００５３】
ゴルフクラブヘッド１００は、アイアン型ゴルフクラブヘッド（例えば、１番アイアン、２番アイアン、３番アイアン、４番アイアン、５番アイアン、６番アイアン、７番アイアン、８番アイアン、９番アイアン、等）でもよく、又はウェッジ型ゴルフクラブヘッド（例えば、ピッチングウェッジ、ロブウェッジ、サンドウェッジ、４４度（°）、４８°、５２°、５６°、６０°のようなｎ度ウェッジ、等）でもよい。図１−１０は特定のタイプのクラブヘッドを示すが、本明細書に記載の器具、方法、及び製造物は、他のタイプのクラブヘッド（例えば、ドライバ型クラブヘッド、フェアウェイウッド型クラブヘッド、ハイブリッド型クラブヘッド、パター型クラブヘッド、等）に適用されてもよい。本明細書に記載の器具、方法、及び製造物は、これに限定されない。
【００５４】
トウ部１４０及びヒール部１５０は、ボディ部１１０の対向する両端部にあってもよい。ヒール部１５０は、ゴルフクラブを形成するシャフトの一方の端部で、グリップ（不図示）を持つシャフト（不図示）を受けるように構成されたホーゼル部１５５と、他方の端部にあるゴルフクラブヘッド１００とを含んでもよい。
【００５５】
フロント部１６０は、フェース部１６２（例えば、打撃面）を含んでもよい。フェース部１６２は、フロント面１６４及びバック面１６６を含んでもよい。フロント面１６４は、トウ部１４０とヒール部１５０の間に延びる１以上の溝（grooves）１６８を含んでもよい。図では特定の数の溝を示すが、本明細書に記載の器具、方法、及び製造物は、より多い又は少ない溝を含んでもよい。フェース部１６２は、ゴルフボール（不図示）に衝撃を与えるために使用されてもよい。フェース部１６２は、ボディ部１１０と一体的な部分であってもよい。あるいは、フェース部１６２は、種々の製造方法及び／又は工程（例えば、接着剤などのボンディング工程、レーザ溶接などの溶接工程、ろう付け工程、半田付け工程、定着工程、機械的なロック又は接続方法、それらの任意の組み合わせ、又は他の適切なタイプの製造方法及び／又は工程）を介してボディ部１１０に結合される別の部品又は挿入物でもよい。フェース部１６２は、ゴルフクラブヘッド１００のロフト角を画定するロフト面と関連付けられてもよい。ロフト角は、ゴルフクラブのタイプ（例えば、ロングアイアン、ミドルアイアン、ショートアイアン、ウェッジ、等）によって異なってもよい。一例では、ロフト角は、５度から７５度の間としてもよい。別の例では、ロフト角は２０度から６０度の間としてもよい。本明細書に記載の器具、方法、及び製造物は、これに限定されない。
【００５６】
図１４に示すように、バック部１７０は、概して第１セットの外部ウェイトポート１４２０（例えば、図示のウェイトポート１４２１、１４２２、１４２３、及び１４２４）及び第２セットの外部ウェイトポート１４３０（例えば、図示のウェイトポート１４３１、１４３２、１４３３、１４３４、１４３５、１４３６、及び１４３７）として示される、バック部１７０の周囲に沿った１以上の外部ウェイトポートを有するバックウォール部１４１０を含んでもよい。各外部ウェイトポートは、ポート直径と関連付けられてもよい。一例では、ポート直径は、約０．２５インチ（６．３５ミリメートル）であってもよい。第１セットの外部ウェイトポート１４２０のうちのいずれか２つの隣接する外部ウェイトポートは、ポート直径よりも小さい距離で分離されてもよい。同様に、第２セットの外部ウェイトポート１４３０のうちのいずれか２つの隣接する外部ポートは、ポート直径よりも小さい距離で分離されてもよい。第１及び第２セットの外部ウェイトポート１４２０、１４３０は、１以上のウェイト部を受けるように構成された外部ウェイトポートであってもよい。具体的には、第１セット１２０の各ウェイト部（例えば、図示のウェイト部１２１、１２２、１２３、及び１２４）は、バック部１７０のトウ部１４０及び／又はトップ部１８０にある又はその近傍にあるウェイトポートに配置されてもよい。例えば、ウェイト部１２１は、部分的に又は完全にウェイトポート１４２１に配置されてもよい。別の例では、ウェイト部１２２は、トップ部１８０とトウ部１４０の間の推移領域（例えば、トップ・アンド・トウ推移領域）にあるウェイトポート１４２２に配置されてもよい。第２セット１３０の各ウェイト部（例えば、図示のウェイト部１３１、１３２、１３３、１３４、１３５、１３６、及び１３７）は、バック部１７０のトウ部１４０及び／又はソール部１９０にある又はその近傍にあるウェイトポートに配置されてもよい。例えば、ウェイト部１３５は、部分的に又は完全にウェイトポート１４３５に配置されてもよい。別の例では、ウェイト部１３６は、ソール部１９０とトウ部１４０の間の推移領域（例えば、ソール・アンド・トウ推移領域）にあるウェイトポート１４３６に配置されてもよい。以下に詳細に説明するように、第１及び第２セットのウェイト部１２０、１３０は、それぞれ、種々の製造方法及び／又は工程（例えば、ボンディング工程、溶接工程、ろう付け工程、機械的なロック方法、それらの任意の組み合わせ、又は他の適切なタイプの製造方法及び／又は工程）でボディ部１１０のバック部１７０に結合されてもよい。
【００５７】
あるいは、ゴルフクラブヘッド１００は、（ｉ）第１セットのウェイト部１２０を含まなくてもよく、（ｉｉ）第２セットのウェイト部１３０を含まなくてもよく、又は（ｉｉｉ）第１及び第２セットのウェイト部１２０、１３０の両方を含まなくてもよい。具体的には、ボディ部１１０のバック部１７０は、トップ部１７０及び／又はソール部１９０にあるウェイトポートを含まなくてもよく、その近傍にあるウェイトポートを含まなくてもよい。例えば、第１セットのウェイト部１２０の質量（例えば、３グラム）及び／又は第２セットのウェイト部１３０の質量（例えば、１６．８グラム）は、別々のウェイト部（複数可）の代わりにボディ部１１０と一体的な部品（複数可）であってもよい。本明細書に記載の器具、方法、及び製造物は、これに限定されない。
【００５８】
第１及び第２セットのウェイト部１２０、１３０は、それぞれ、類似又は異なる物理的特性（例えば、色、形状、サイズ、密度、質量、体積、等）を有してもよい。その結果、第１及び第２セットのウェイト部１２０、１３０は、それぞれ、ゴルフクラブヘッド１００の装飾的なデザインに寄与し得る。図１１に図示した例では、第１及び第２セットのウェイト部１２０、１３０のウェイト部の各々は、それぞれ、円筒形（例えば、円形の断面）を有してもよい。あるいは、第１セット１２０のウェイト部の各々は、第１の形状（例えば、円筒形）であり得る一方で、第２セット１３０のウェイト部の各々は、第２の形状（例えば、立方体形）であり得る。別の例では、第１セットのウェイト部１２０は、異なる形状の２以上のウェイト部を含んでもよい（例えば、ウェイト部１２１は第１の形状であり得る一方で、ウェイト部１２２は第１の形状とは異なる第２の形状であり得る）。同様に、第２セットのウェイト部１３０も、異なる形状の２以上のウェイト部を含んでもよい（例えば、ウェイト部１３１は第１の形状であり得る一方で、ウェイト部１３２は第１の形状とは異なる第２の形状であり得る）。上記の例は特定の形状を持つウェイト部を記載しているが、本明細書に記載の器具、方法、及び製造物は、他の適切な形状（例えば、球体、立方体、円錐、円柱、角錐、立方体状、角柱、錐台、又は他の適切な幾何学的形状、の一部又は全部）のウェイト部を含んでもよい。上記の例及び図は、ウェイト部のセットとして複数のウェイト部を示しているが、第１及び第２セットのウェイト部１２０、１３０の各セットは、それぞれ、単一のウェイト部であってもよい。一例では、第１セットのウェイト部１２０は、４つの別々のウェイト部の系列ではなく単一のウェイト部であってもよい。別の例では、第２セットのウェイト部１３０は、７つの別々のウェイト部の系列ではなく単一のウェイト部であってもよい。本明細書に記載の器具、方法、及び製造物は、これに限定されない。
【００５９】
図１２及び１３を参照すると、例えば、第１及び第２セットのウェイト部１２０、１３０は、それぞれ、バック部１７０のウェイトポート（概して図１４に１４２０及び１４３０として示される）に構成されたネジ山にそれぞれ係合する、概して１２１０及び１３１０として示されるネジ山を含み、該ウェイトポートに固定されてもよい。例えば、第１及び第２セットのウェイト部１２０、１３０のウェイト部の各々は、それぞれ、ネジであってもよい。第１及び第２セットのウェイト部１２０、１３０は、それぞれ、工具有り又は無しで、バック部１１０から容易に取り外し可能でなくともよい。あるいは、第１及び第２セットのウェイト部１２０、１３０は、それぞれ、第１及び第２セット１２０、１３０の１以上のウェイト部を相対的に重い又は軽いウェイト部にそれぞれ付け替えることができるように、（例えば、工具有りで）容易に取り外し可能であってもよい。別の例では、第１及び第２セットのウェイト部１２０、１３０は、それぞれ、第１及び第２セットのウェイト部１２０、１３０をそれぞれ容易に取り外しできないように、エポキシ樹脂又は接着剤でバック部１７０のウェイトポートに固定されてもよい。更に別の例では、第１及び第２セットのウェイト部１２０、１３０は、それぞれ、第１及び第２セットのウェイト部１２０、１３０をそれぞれ容易に取り外しできないように、エポキシ樹脂及び接着剤の両方でバック部１７０のウェイトポートに固定されてもよい。本明細書に記載の器具、方法、及び製造物は、これに限定されない。
【００６０】
上述したように、第１及び第２セットのウェイト部１２０、１３０は、それぞれ、幾つかの物理的特性が類似してもよいが、他の物理的特性は異なってもよい。図１１−１３に示すように、例えば、第１及び第２セット１２０、１３０のウェイト部の各々は、それぞれ、約０．２５インチ（６．３５ミリメートル）の直径１１１０を有してもよいが、第１及び第２セットのウェイト部１２０、１３０は、それぞれ、高さが異なってもよい。具体的には、第１セット１２０のウェイト部の各々は、第１高さ１２２０（図１２）と関連付けられてもよく、第２セット１３０のウェイト部の各々は、第２高さ１３２０（図１３）と関連付けられてもよい。第１高さ１２２０は、第２高さ１３２０より相対的に小さくてもよい。一例では、第１高さ１２２０は、約０．１２５インチ（３．１７５ミリメートル）であり得る一方で、第２高さ１３２０は、約０．３インチ（７．６２ミリメートル）であり得る。別の例では、第１高さ１２２０は、約０．１６インチ（４．０６４ミリメートル）であり得る一方で、第２高さ１３２０は、約０．４インチ（１０．１６ミリメートル）であり得る。あるいは、第１高さ１２２０は、第２高さ１３２０以上であってもよい。本明細書に記載の器具、方法、及び製造物は、これに限定されない。
【００６１】
図１０に戻って参照すると、例えば、ゴルフクラブヘッド１００は、グラウンド面１０１０、水平中央平面１０２０、及びトップ面１０３０と関連付けられてもよい。具体的には、グラウンド面１０１０は、ゴルフクラブヘッド１００がアドレスポジション（例えば、ゴルフクラブヘッド１００がゴルフボールを打つために調整される）にあるときに、ゴルフクラブヘッド１００のソール部１９０に接する面であってもよい。トップ面１０３０は、ゴルフクラブヘッドがアドレスポジションにあるときに、ゴルフクラブヘッド１００のトップ部１８０に接する面であってもよい。グラウンド面１０１０及びトップ面１０３０は、それぞれ、互いに実質的に平行であってもよい。水平中央平面１０２０は、グラウンド面１０１０及びトップ面１０３０のそれぞれの間の垂直方向の中間であってもよい。
【００６２】
ゴルフクラブヘッド１００のための最適な周囲の重み付けを提供するために、第１セットのウェイト部１２０（例えば、ウェイト部１２１、１２２、１２３、及び１２４）は、ホーゼル１５５の重さと釣り合うように構成されてもよい。例えば、図１０に示すように、第１セットのウェイト部１２０（例えば、ウェイト部１２１、１２２、１２３、及び１２４）は、ボディ部１１０の周囲の近くに配置されると共に、トップ部からトップ部１８０とトウ部１４０の間の推移領域１４５まで、及び推移領域１４５からトウ部１４０まで延在してもよい。換言すれば、第１セットのウェイト部１２０は、ホーゼル１５５に対して大まかに反対側の位置でゴルフクラブヘッド１００に配置されてもよい。一例によれば、第１セットのウェイト部１２０の少なくとも一部は、ボディ部１１０の周囲の近くに配置されると共に、推移領域１４５を通って延在してもよい。別の例によれば、第１セットのウェイト部１２０の少なくとも一部は、ボディ部１１０の周囲の近くに延在すると共に、トップ部１８０の一部に沿って延在してもよい。別の例によれば、第１セットのウェイト部１２０の少なくとも一部は、ボディ部１１０の周囲の近くに延在すると共に、トウ部１４０の一部に沿って延在してもよい。第１セットのウェイト部１２０は、ゴルフクラブヘッド１００の水平中央平面１０２０より上側にあってもよい。第１セットのウェイト部１２０の少なくとも一部は、ゴルフクラブヘッド１００の重心を通って延びるゴルフクラブヘッド１００の垂直軸におけるゴルフクラブヘッド１００の慣性モーメントが増加するように、トウ部１４０の近くにあってもよい。従って、第１セットのウェイト部１２０は、ホーゼル１５５の重さと釣り合い及び／又はゴルフクラブヘッド１００の慣性モーメントが増加するように、ボディ部１１０の周囲の近くにあると共に、トップ１８０、トウ部１４０及び／又は推移領域１４５を通って延在してもよい。第１セットのウェイト部１２０の位置（すなわち、第１セットの外部ウェイトポート１４２０の位置）と、第１セットのウェイト部１２０のウェイト部の物理的特性及び構成材料は、重量、重量分布、重心、慣性モーメント特性、構造的完全性、及び／又はゴルフクラブヘッド１００の他の静的及び／又は動的特性に最適に作用するように決定されてもよい。本明細書に記載の器具、方法、及び製造物は、これに限定されない。
【００６３】
第２セットのウェイト部１３０（例えば、ウェイト部１３１、１３２、１３３、１３４、１３５、１３５、及び１３７）は、ゴルフクラブヘッド１００の重心が最適な位置に配置されると共にゴルフクラブヘッド１００の重心を通って延びる垂直軸におけるゴルフクラブヘッドの慣性モーメントが最適化されるように構成されてもよい。図１０を参照すると、第２セットのウェイト部１３０の全て又はかなりの部分は、概してソール部１９０の近くにあってもよい。例えば、第２セットのウェイト部１３０（例えば、ウェイト部１３１、１３２、１３３、１３４、１３５、１３５、及び１３７）は、ボディ部１１０の周囲の近くにあると共に、ソール部１９０からトウ部１４０まで延在してもよい。図１０の例に示すように、ウェイト部１３１、１３２、１３３、及び１３４は、ボディ部１１０の周囲の近く配置されると共に、ゴルフクラブヘッド１００の重心が低くなるように、ソール部１９０に沿って延在してもよい。ウェイト部１３５、１３６、及び１３７は、ボディ部１１０の周囲の近く配置されると共に、重心が低くなり且つ重心を通って延びる垂直軸におけるゴルフクラブヘッド１００の慣性モーメントが増加するように、ソール部１９０からソール部１９０とトウ部１４０の間の推移領域１４７を通ってトウ部１４０まで延在してもよい。ゴルフクラブヘッド１００の重心が低くなるように、第２セットのウェイト部１３０の全部又は一部は、水平中央平面１０２０よりソール部１９０の近くに配置されてもよい。例えば、ウェイト部１３１、１３２、１３３、１３４、１３５、及び１３６は、水平中央平面１０２０よりソール部１９０の近くに配置されてもよい。第２セットのウェイト部１３０の位置（すなわち、第２セットの外部ウェイトポート１４３０の位置）と、第２セットのウェイト部１３０のウェイト部の物理的特性及び構成材料は、重量、重量分布、重心、慣性モーメント特性、構造的完全性、及び／又はゴルフクラブヘッド１００の他の静的及び／又は動的特性に最適に作用するように決定されてもよい。本明細書に記載の器具、方法、及び製造物は、これに限定されない。
【００６４】
図７−９に戻り、例えば、第１及び第２セットのウェイト部１２０、１３０は、それぞれ、フェース部１６２のバック面１６６から離れて配置されてもよい（例えば、互いに直接結合されない）。すなわち、第１及び第２セットのウェイト部１２０、１３０のそれぞれと、バック面１６６は、ボディ部１１０の内部キャビティ７００によって部分的に又は完全に分離されてもよい。図１４に示すように、例えば、第１及び第２セットの外部ウェイトポート１４２０、１４３０の各外部ウェイトポートは、開口部（例えば、概して７２０及び７３０として示される）及びポートウォール（例えば、概して７２５及び７３５として示される）を含んでもよい。ポートウォール７２５及び７３５は、バックウォール部１４１０と一体的な部分（例えば、バックウォール部１４１０の区間）であってもよい。開口部７２０及び７３０の各々は、それぞれ、ウェイト部１２１及び１３５のようなウェイト部を受けるように構成されてもよい。開口部７２０は、ウェイトポート１４２１の一方の端部に配置されもよく、ポートウォール７２５は、ウェイトポート１４２１の反対側の端部又はその近傍に配置されてもよい。同様に、開口部７３０は、ウェイトポート１４３５の一方の端部に配置されると共に、ポートウォール７３５は、ウェイトポート１４３５の反対側の端部又はその近傍に配置されてもよい。ポートウォール７２５及び７３５は、フェース部１６２から分離されてもよい（例えば、内部キャビティ７００で分離される）。ポートウォール７２５は、図９に示すように、フェース部１６２のバック面１６６に対して距離７２６を設けられてもよい。ポートウォール７３５は、フェース部１６２のバック面１６６に対して距離７３６を設けられてもよい。距離７２６及び７３６は、第１及び第２セットのウェイトポート１４２０、１４３０のそれぞれが本明細書に記載のウェイト部を受けるときに、ゴルフクラブヘッド１００の重心の位置を最適化するように決定されてもよい。一例によれば、距離７３６は、ゴルフクラブヘッド１００の重心がバック部１７０に向かって移動するように、距離７２６より大きくてもよい。その結果、内部キャビティ７００の水平中央平面１０２０の下側の部分の幅７４０は、内部キャビティ７００の水平中央平面１０２０の上側の幅７４２より大きくてもよい。本明細書に記載の器具、方法、及び製造物は、これに限定されない。
【００６５】
本明細書で論じたように、第２セットのウェイト部１３０の全て又はかなりの部分を水平中央平面１０２０よりソール部１９０の近くにすると共に、第１及び第２セットのウェイト部１２０、１３０のそれぞれをバック面１６６から離すことで、第２セットのウェイト部１３０がバック面１６６に直接に結合された場合よりも、ゴルフクラブヘッド１００の重心（ＣＧ）はフェース部１６２から相対的に更に後方に離すことができると共に、グラウンド面（例えば、図１０に１０１０として示される）に向かって相対的に低くすることができる。第１及び第２セットのウェイトポート１４２０、１４３０の位置と、第１及び第２セットのウェイト部１２０、１３０のそれぞれの物理的特性及び構成材料は、重量、重量分布、重心、慣性モーメント特性、構造的完全性、及び／又はゴルフクラブヘッド１００の他の静的及び／又は動的特性に最適に作用するように決定されてもよい。本明細書に記載の器具、方法、及び製造物は、これに限定されない。
【００６６】
図面は特定の断面形状を持つウェイトポートを示しているが、本明細書に記載の器具、方法、及び製造物は、他の適切な断面形状を持つウェイトポートを含んでもよい。一例では、第１及び／又は第２セットのウェイトポート１４２０、１４３０のウェイトポートは、Ｕ字状の断面形状を有してもよい。別の例では、第１及び／又は第２セットのウェイトポート１４２０、１４３０のウェイトポートは、Ｖ字状の断面形状を有してもよい。第１セットのウェイト部１２０に関連する１以上のウェイトポートは、第２セットのウェイト部１３０に関連する１以上のウェイトポートとは異なる断面形状を有してもよい。例えば、ウェイトポート１４２１は、Ｕ字状の断面形状を有し得る一方で、ウェイトポート１４３５は、Ｖ字状の断面形状を有し得る。また、第１セットのウェイト部１２０に関連する２以上のウェイトポートは、異なる断面形状を有してもよい。同様に、第２セットのウェイト部１３０に関連する２以上のウェイトポートは、異なる断面形状を有してもよい。本明細書に記載の器具、方法、及び製造物は、これに限定されない。
【００６７】
第１及び第２セットのウェイト部１２０、１３０は、それぞれ、質量が類似してもよい（例えば、第１及び第２セットのウェイト部１２０、１３０のウェイト部の全てが、それぞれ、略同じ重さがある）。あるいは、第１及び第２セットのウェイト部１２０、１３０は、それぞれ、個々に質量が異なってもよく、セット全体として質量が異なってもよい。具体的には、第１セット１２０のウェイト部（例えば、図示の１２１、１２２、１２３、及び１２４）の各々は、第２セット１３０の任意のウェイト部（例えば、図示の１３１、１３２、１３３、１３４、１３５、１３６、及び１３７）よりも相対的に小さい質量であってもよい。例えば、第２セットのウェイト部１３０は、ゴルフクラブヘッド１００の外部ウェイト部により全質量の５０％以上を占めてもよい。その結果、ゴルフクラブヘッド１００は、水平中央平面１０２０の下側に配置された外部ウェイト部により全質量の少なくとも５０％を有するように構成することができる。本明細書に記載の器具、方法、及び製造物は、これに限定されない。
【００６８】
一例では、ゴルフクラブヘッド１００は、ゴルフクラブのタイプ（例えば、４番アイアン対ロブウェッジ）に基づいて約２２０グラムから約３３０グラムの範囲の質量を有してもよい。ボディ部１１０は、それぞれ約２０グラム（例えば、外部ウェイト部による全質量）の質量がある第１及び第２セットのウェイト部１２０、１３０を含んで、約２００グラムから約３１０グラムの範囲の質量を有してもよい。第１セット１２０のウェイト部の各々は、約１グラム（１．０ｇ）の質量を有し得る一方で、第２セット１３０のウェイト部の各々は、約２．４グラムの質量を有し得る。第１セットのウェイト部１２０の質量の合計は、約３グラムであり得る一方で、第２セットのウェイト部１３０の質量の合計は、約１６．８グラムであり得る。第２セットのウェイト部１３０の全質量は、第１セットのウェイト部１２０の全質量と同じ程度の５倍以上の重さであってもよい（例えば、約３グラムの第１セットのウェイト部１２０の全質量に対して約１６．８グラムの第２セットのウェイト部１３０の全質量）。ゴルフクラブヘッド１００は、第１及び第２セットのウェイト部１２０、１３０のそれぞれによる１９．８グラムの全質量を有してもよい（例えば、第１セットのウェイト部１２０による３グラムと第２セットのウェイト部１３０による１６．８グラムの合計）。従って、第１セットのウェイト部１２０は、ゴルフクラブヘッド１００の外部ウェイト部により全質量の約１５％を占めることができる一方で、第２セットのウェイト部１３０は、ゴルフクラブヘッド１００の外部ウェイト部により全質量の約８５％を占めることができる。本明細書に記載の器具、方法、及び製造物は、これに限定されない。
【００６９】
第１及び第２セットのウェイト部１２０、１３０をそれぞれボディ部１１０と結合（例えば、バック部１７０のウェイトポートに第１及び第２セットのウェイト部１２０、１３０を固定）することにより、ゴルフクラブヘッド１００の重心（ＣＧ）の位置及び慣性モーメント（ＭＯＩ）は最適化されてもよい。具体的には、本明細書に記載したように、第１及び第２セットのウェイト部１２０、１３０は、それぞれ、ソール部１９０に向かってＣＧの位置を低くすると共に、フェース部１６２から更に後方に離してもよい。更に、ＭＯＩは、ＣＧを通って延びる垂直軸（例えば、グラウンド面１０１０に垂直）での測定値が高くなってもよい。ＭＯＩはまた、ＣＧを通って延びる水平軸（例えば、ゴルフクラブヘッドのトウ部１５０及びヒール部１６０のそれぞれに向かって延在する）での測定値が高くなってもよい。その結果、クラブヘッド１００は、第１及び第２セットのウェイト部１２０、１３０のそれぞれを持たないゴルフクラブヘッドよりも、相対的に高い打ち上げ角と相対的に低いスピン量を提供することができる。本明細書に記載の器具、方法、及び製造物は、これに限定されない。
【００７０】
あるいは、同じセット内の２以上のウェイト部は、異なる質量であってもよい。一例では、第１セット１２０のウェイト部１２１は、第１セット１２０のウェイト部１２２よりも相対的に少ない質量であってもよい。別の例では、第２セット１３０のウェイト部１３１は、第２セット１３０のウェイト部１３５よりも相対的に少ない質量であってもよい。トップ・アンド・トウ推移領域及び／又はソール・アンド・トウ推移領域に相対的に大きな質量があることで、より多くの重量を、重心（ＣＧ）を通る垂直軸の慣性モーメント（ＭＯＩ）が増加するようにゴルフクラブヘッド１００のＣＧから分散させることができる。
【００７１】
図では別々の個々のパーツとしてウェイト部を示すが、第１及び第２セットのウェイト部１２０、１３０の各セットは、それぞれ、単一のウェイト部であってもよい。一例では、第１セット１２０の全てのウェイト部（例えば、図示の１２１、１２２、１２３、及び１２４）は、単一のウェイト部（例えば、第１のウェイト部）に結合されてもよい。同様に、第２セット１３０の全てのウェイト部（例えば、１３１、１３２、１３３、１３４、１３５、１３６、及び１３７）も、単一のウェイト部（例えば、第２のウェイト部）に結合されてもよい。この例では、ゴルフクラブヘッド１００は、２つのウェイト部だけを有してもよい。図では特定の数のウェイト部を示すが、本明細書に記載の器具、方法、及び製造物は、より多い又は少ない数のウェイト部を有してもよい。一例では、第１セットのウェイト部１２０は、図に示す３つの別々のウェイト部に代えて２つの別々のウェイト部を有してもよい。別の例では、第２セットのウェイト部１３０は、図に示す７つの別々のウェイト部に代えて５つの別々のウェイト部を有してもよい。上記に代えて、本明細書に記載の器具、方法、及び製造物は、任意の別々のウェイト部を有しなくてもよい（例えば、ボディ部１１０は、ボディ部１１０と一体的な部分（複数可）として別々のウェイト部の質量を含むように製造してもよい）。本明細書に記載の器具、方法、及び製造物は、これに限定されない。
【００７２】
図７−９に戻って参照すると、例えば、ボディ部１１０は、フロント部１６０とバック部１７０の間に延在する内部キャビティ７００を含む中空体であってもよい。更に、内部キャビティ７００は、トップ部１８０とソール部１９０の間に延在してもよい。内部キャビティ７００は、キャビティ高７５０（ＨC）と関連付けられてもよく、ボディ部１１０は、ボディ高８５０（ＨB）と関連付けられてもよい。キャビティ高７５０及びボディ高８５０は、トウ部１４０とヒール部１５０の間で変化し得るが、キャビティ高７５０は、ボディ高８５０の少なくとも５０％であってもよい（ＨC＞０．５＊ＨB）。例えば、キャビティ高７５０は、ボディ高８５０の７０−８５％の間で変化してもよい。内部キャビティ７００のキャビティ高７５０をボディ高８５０の５０％より大きくすることで、ゴルフクラブ１００は、ゴルフクラブ１００がフェース部１６２を介してゴルフボールを打つときに、ボディ高の５０％より小さいキャビティ高のゴルフクラブよりも、相対的により一貫した感触、音、及び／又は結果を生み出すことができる。本明細書に記載の器具、方法、及び製造物は、これに限定されない。
【００７３】
一例では、内部キャビティ７００は、無充填（例えば、空の空間）であってもよい。内部キャビティ７００を含むボディ部１００は、内部キャビティ７００を含まないボディ部１００よりも少ない約１００グラムの重量であってもよい。あるいは、内部キャビティ７００は、衝撃を吸収し、振動を分離し、及び／又はノイズを減衰するように、弾性ポリマー又はエラストマー材料（例えば、オハイオ州、ケント、Ｓｏｒｂｏｔｈａｎｅ社製のＳｏｒｂｏｔｈａｎｅ（登録商標）のような粘弾性ウレタンポリマー材料）、熱可塑性エラストマー材料（ＴＰＥ）、熱可塑性ポリウレタン材料（ＴＰＵ）、及び／又は他の適切なタイプの材料で、部分的に又は完全に充填されてもよい。例えば、内部キャビティ７００の少なくとも５０％は、ゴルフクラブヘッド１００がフェース部１６２を介してゴルフボールを打つときに、衝撃を吸収し、振動を分離し、及び／又はノイズを減衰するように、ＴＰＥ材料で充填されてもよい。
【００７４】
別の例では、内部キャビティ７００は、ゴルフクラブヘッド１００がフェース部１６２を介してゴルフボールを打つときに、衝撃を吸収し、振動を分離し、及び／又はノイズを減衰するように、部分的に又は完全に、エチレン共重合体材料などのポリマー材料で充填されてもよい。具体的には、内部キャビティ７００の少なくとも５０％は、高密度エチレン共重合体アイオノマー、脂肪酸変成エチレン共重合体アイオノマー、高非晶質エチレン共重合体アイオノマー、エチレン酸アクリレート三元共重合体のアイオノマー、マグネシウムアイオノマーを含むエチレン共重合体、様々な形状を作り出す従来の射出成形装置で使用される射出成型可能なエチレン共重合体、様々な形状を作り出す従来の押出し装置で使用できるエチレン共重合体、及び／又は熱硬化性ポリブタジエンゴムに類似した高圧縮性及び低反発性のエチレン共重合体で充填されてもよい。例えば、エチレン共重合体は、デラウェア州、ウィルミントンのＥ．Ｉ．ｄｕ  Ｐｏｎｔ  ｄｅ  Ｎｅｍｏｕｒｓ  ａｎｄ  Ｃｏｍｐａｎｙ社製の、ＤｕＰｏｎｔ（登録商標）高性能樹脂（ＨＰＦ）ファミリーの材料（例えば、ＤｕＰｏｎｔ（登録商標）ＨＰＦ  ＡＤ１１７２、ＤｕＰｏｎｔ（登録商標）  ＨＰＦ  ＡＤ１０３５、ＤｕＰｏｎｔ（登録商標）  ＨＰＦ  １０００、及びＤｕＰｏｎｔ（登録商標）  ＨＰＦ  ２０００）に関連するエチレン共重合体のいずれかを含んでもよい。エチレン共重合体のＤｕＰｏｎｔ（登録商標）ファミリーは、射出成型可能であり、低圧縮性及び高反発力を提供する従来の射出成形装置及び型を使用することができる。本明細書に記載の器具、方法、及び製造物は、これに限定されない。
【００７５】
図１５に戻り、例えば、フェース部１６２は、第１厚さ１５１０（Ｔ1）、及び、第２厚さ１５２０（Ｔ2）を含んでもよい。第１厚さ１５１０は、溝１６８に隣接するフェース部１６２の区間の厚さであり得る一方で、第２厚さ１５２０は、溝１６８の下側のフェース部１６２の区間の厚さであり得る。例えば、第１厚さ１５１０は、フロント面１６４とバック面１６６の間の最大距離であってもよい。第２厚さ１５２０は、溝１６２に基づいてもよい。具体的には、溝１６８は、溝深さ１５２５（Ｄgroove）を有してもよい。第２厚さ１５２０は、溝１６８の底面とバック面１６６との間の最大距離であってもよい。第２厚さ１５２０と溝深さ１５２５の合計は、第１厚さ１５１０と実質的に等しくてもよい（例えば、Ｔ2＋Ｄgroove＝Ｔ1）。従って、第２厚さ１５２０は、第１厚さ１５１０よりも小さくてもよい（例えば、Ｔ2＜Ｔ1）。
【００７６】
ゴルフクラブヘッド１００の重心を下げ及び／又は更に後方に移動するために、ゴルフクラブヘッド１００のフロント部１６０の重量は、相対的に薄いフェース部１６２を使用することにより除去されてもよい。例えば、第１厚さ１５１０は、約０．０７５インチ（１．９０５ミリメートル）であってもよい（例えば、Ｔ1＝０．０７５インチ）。バックウォール部１４１０の支持を受けて内部キャビティ７００を形成し、弾性ポリマー材料で内部キャビティ７００の少なくとも一部を充填することで、フェース部１６２は、ゴルフクラブヘッド１００の構造的完全性、音、及び／又は感触を劣化させずに相対的に薄く（例えば、Ｔ1＜０．０７５インチ）することができる。一例では、第１厚さ１５１０は、０．０６０インチ（１．５２４ミリメートル）以下であってもよい（例えば、Ｔ1≦０．０６０インチ）。別の例では、第１厚さ１５１０は、０．０４０インチ（１．０１６ミリメートル）以下であってもよい（例えば、Ｔ1≦０．０４０インチ）。フェース部１６２及び／又はボディ部１１０の形成に使用する材料（複数可）のタイプに基づいて、フェース部１６２は、０．０３０インチ（０．７６２ミリメートル）以下の第１厚さ１５１０（例えば、Ｔ1≦０．０３０インチ）より薄くされてもよい。溝深さ１５２５は、第２厚さ１５２０以上であってもよい（例えば、Ｄgroove≧Ｔ2）。一例では、溝深さ１５２５は、約０．０２０インチ（０．５０８ミリメートル）であってもよい（例えば、Ｄgroove＝０．０２０インチ）。従って、第２厚さ１５２０は、約０．０１０インチ（０．２５４ミリメートル）であってもよい（例えば、Ｔ2＝０．０１０インチ）。別の例では、溝深さ１５２５は、約０．０１５インチ（０．３８１ミリメートル）であってもよく、第２厚さ１５２０は、約０．０１５インチであってもよい（例えば、Ｄgroove＝Ｔ2＝０．０１５インチ）。あるいは、溝深さ１５２５は、第２厚さ１５２０より小さくてもよい（例えば、Ｄgroove＜Ｔ2）。バックウォール部１４１０の支持と内部キャビティ７００に弾性ポリマー材料の充填が無いと、ゴルフクラブヘッドは、フェース部でのゴルフボールによる複数の衝撃に耐えられないかもしれない。本明細書に記載のゴルフクラブヘッド１００とは対照的に、バックウォール部１４１０の支持と内部キャビティ７００に弾性ポリマー材料の充填が無いが相対的に薄いフェース部を有するゴルフクラブヘッド（例えば、キャビティバックゴルフクラブヘッド）は、ゴルフボールのインパクト時に不快な音（例えば、安っぽい音）及び／又は感触を生み出すかもしれない。本明細書に記載の器具、方法、及び製造物は、これに限定されない。
【００７７】
ゴルフクラブヘッド１００を形成する製造工程及び方法に基づいて、フェース部１６２は、フェース部１６２の周囲又はその近傍に追加の材料を含んでもよい。従って、フェース部１６２はまた、第３厚さ１５３０、及び面取り部１５４０を有してもよい。第３厚さ１５３０は、第１厚さ１５１０又は第２厚さ１５２０のいずれよりも大きくてもよい（例えば、Ｔ3＞Ｔ1＞Ｔ2）。具体的には、フェース部１６２は、溶接工程によってボディ部１１０に結合されてもよい。例えば、第１厚さ１５１０は、約０．０３０インチ（０．７６２ミリメートル）であってもよく、第２厚さ１５２０は、約０．０１５インチ（０．３８１ミリメートル）であってもよく、第３厚さ１５３０は、約０．０５０インチ（１．２７ミリメートル）であってもよい。従って、面取り部１５４０は、フェース部１６２をボディ部１１０に溶接するときに、追加の材料の一部を収容することができる。
【００７８】
図１６に示すように、例えば、フェース部１６２は、１以上の溝１６８の下側に、概して１６０５で示される、補強区間を含んでもよい。一例では、フェース部１６２は、各溝の下側に補強区間１６０５を含んでもよい。あるいは、フェース部１６２は、幾つかの溝（例えば、他の全ての溝）の下側又はただ１つの溝の下側に補強区間１６０５を含んでもよい。フェース部１６２は、第１厚さ１６１０、第２厚さ１６２０、第３厚さ１６３０、及び面取り部１６４０を含んでもよい。溝１６８は、溝深さ１６２５を有してもよい。補強区間１６８は、第２厚さ１６２０を画定してもよい。第１厚さ１６１０及び第２厚さ１６２０は、それぞれ、互いに実質的に等しくてもよい（例えば、Ｔ1＝Ｔ2）。一例では、第１厚さ１６１０及び第２厚さ１６２０は、それぞれ、約０．０３０インチ（０．７６２ミリメートル）であってもよい（例えば、Ｔ1＝Ｔ2＝０．０３０インチ）。溝深さ１６２５は、約０．０１５インチ（０．３８１ミリメートル）であってもよく、第３厚さ１６３０は、約０．０５０インチ（１．２７ミリメートル）であってもよい。溝１６８はまた、溝幅を有してもよい。補強区間１６０５の幅は、溝幅以上であってもよい。本明細書に記載の器具、方法、及び製造物は、これに限定されない。
【００７９】
あるいは、フェース部１６２は、トップ部１８０とソール部１９０で厚さが変化してもよく、及び／又はその間で厚さが変化してもよい。一例では、フェース部１６２は、トップ部１８０又はその近傍がソール部１９０又はその近傍よりも相対的に厚くてもよい（例えば、フェース部１６２の厚さは、トップ部１８０からソール部１９０に向かって徐々に減ってもよい）。別の例では、フェース部１６２は、ソール部１９０又はその近傍がトップ部１８０又はその近傍よりも相対的に厚くてもよい（例えば、フェース部１６２の厚さは、ソール部１９０からトップ部１８９に向かって徐々に減ってもよい）。更に別の例では、フェース部１６２は、トップ部１８０とソール部１９０の間がトップ部１８０及びソール部１９０又はその近傍よりも相対的に厚くてもよい（例えば、フェース部１６２の厚さは、ベル型の外形を有してもよい）。本明細書に記載の器具、方法、及び製造物は、これに限定されない。
【００８０】
他のゴルフクラブヘッドのデザインと異なり、ボディ部１１０の内部キャビティ７００と、ゴルフクラブヘッド１００の周囲に沿った第１及び第２セットのウェイト部１２０、１３０のそれぞれの位置は、フェース部１６２から離れていくゴルフボールに相対的に高い打ち出し角と相対的に低いスピンレートをもたらすことができる。その結果、ゴルフボールは、遠くに移動することができる（すなわち、キャリー及びロール距離を含む総距離が大きくなる）。
【００８１】
図１７は、本明細書に記載の例のゴルフクラブヘッドを製造する１つの方法を示す図である。図１７の例では、プロセス１７００は、概して第１及び第２セットのウェイト部１２０、１３０としてそれぞれ示される、２以上のウェイト部を供給することで開始してもよい（ブロック１７１０）。第１及び第２セットのウェイト部１２０、１３０は、それぞれ、タングステン系材料のような第１の材料で作製されてもよい。一例では、第１及び第２セットのウェイト部１２０、１３０は、それぞれ、タングステン合金ネジであってもよい。
【００８２】
プロセス１７００は、フェース部１６２と、内部キャビティ７００と、概して１４２０及び１４３０として示される、２以上の外部ウェイトポートを持つバック部１７０とを有するボディ部１１０を供給してもよい（ブロック１７２０）。ボディ部１１０は、第１の材料とは異なる、第２の材料で作製されてもよい。ボディ部１１０は、インベストメント鋳造工程、ビレット鍛造工程、プレス工程、コンピュータ数値制御（ＣＮＣ）機械工程、ダイキャスト工程、それらの任意の組み合わせ、又は他の適切な製造工程を用いて製造されてもよい。一例では、ボディ部１１０は、鋳造工程を用いて１７−４ＰＨステンレス鋼で作製されてもよい。別の例では、ボディ部１１０は、鍛造工程を用いて他の適切なタイプのステンレス鋼（例えば、オハイオ州、ウエストチェスター、ＡＫスチール社製のＮｉｔｒｏｎｉｃ（登録商標）５０ステンレス鋼）で製造されてもよい。ボディ部１１０の製造にＮｉｔｒｏｎｉｃ（登録商標）５０ステンレス鋼を用いることで、ゴルフクラブヘッド１００は、他のタイプの鋼から作製されたゴルフクラブヘッドよりも相対的に頑丈に及び／又は耐腐食性をより高めることができる。ボディ部１１０の各ウェイトポートは、開口部及びポートウォールを含んでもよい。例えば、ウェイトポート１４２１は、互いに対向する両端部に設けた開口部７２０及びポートウォール７２５を含んでもよい。内部キャビティ７００は、ウェイトポート１４２１のポートウォール７２５とフェース部１６２のバック面１６６を分離してもよい。同様に、ウェイトポート１８３５は、互いに対向する両端部に設けた開口部７３０及びポートウォール７３５を含んでもよい。内部キャビティ７００は、ウェイトポート１４３５のポートウォール７３５とフェース部１６２のバック面１６６を分離してもよい。
【００８３】
プロセス１７００は、第１及び第２セットのウェイト部１２０、１３０の各々を２以上の外部ウェイトポートの１つに結合されてもよい（ブロック１７３０）。一例では、プロセス１７００は、外部ウェイトポート１４２１にウェイト部１２１を挿入して固定し、外部ウェイトポート１４３５にウェイト部１３５を挿入して固定してもよい。プロセス１７００は、種々の製造方法及び／又は工程を用いて、ウェイトポート１４２１、１４３５などの外部ウェイトポートに、第１及び第２セットのウェイト部１２０、１３０のそれぞれを固定することができる（例えば、エポキシ樹脂、溶接、ろう付け、機械的なロック、それらの任意の組み合わせ、等）。
【００８４】
プロセス１７００は、部分的に又は完全に、弾性ポリマー材料（例えば、Ｓｏｒｂｏｔｈａｎｅ（登録商標）材料）又はポリマー材料（例えば、ＤｕＰｏｎｔ（登録商標）ＨＰＦ系材料などのエチレン共重合体材料）を内部キャビティ７００に充填してもよい（ブロック１７４０）。一例では、内部キャビティ７００の少なくとも５０％は、弾性ポリマー材料を充填されてもよい。上記のように、弾性ポリマー材料は、ゴルフボールを打つゴルフクラブヘッド１００に応じて衝撃を吸収し、振動を分離し、及び／又はノイズを減衰させることができる。あるいはまた、内部キャビティ７００は、熱可塑性エラストマー材料及び／又は熱可塑性ポリウレタン材料を充填されてもよい。図１８に示すように、例えば、ゴルフクラブヘッド１００は、第１開口部１８３０及び第２開口部１８３５を持つ１以上のウェイトポート（例えば、図１４に１４３１として示される）を含んでもよい。第２開口部１８３５は、内部キャビティ７００にアクセスするために用いられてもよい。一例では、プロセス１７００（図１７）は、第１開口部１８３５から第２開口部１８３５を介して内部キャビティ７００に弾性ポリマー材料を注入することで、内部キャビティ７００に弾性ポリマー材料を充填してもよい。第１開口部１８３０及び第２開口部１８３５は、それぞれ、サイズ及び／又は形状が同じでもよく、異なってもよい。上記の例は第２開口部を持つ特定のウェイトポートを示して説明したが、ゴルフクラブヘッド１００の他の任意のウェイトポートが第２開口部を含んでもよい（例えば、ウェイトポート７２０）。本明細書に記載の器具、方法、及び製造物は、これに限定されない。
【００８５】
図１７に戻って参照すると、プロセス１７００の例は、単に、ゴルフクラブヘッド１００を製造する１つの方法の例を他の図と共に提供し、説明している。アクションの特定の順序を図１７に示しているが、これらのアクションは、他の経時的な順番で実行されてもよい。例えば、図１７に示す２以上のアクションは、連続して、同時に、又は一斉に実行されてもよい。一例では、ブロック１７１０、１７２０、１７３０、及び／又は１７４０は、同時に又は一斉に実行されてもよい。図１７は特定の数のブロックを示すが、プロセスは、１以上のブロックを実行しなくてもよい。一例では、内部キャビティ７００は、充填されなくてもよい（例えば、ブロック１７４０は実行されなくてもよい）。本明細書に記載の器具、方法、及び製造物は、これに限定されない。
【００８６】
図１−１４に戻って参照し、フェース部１６２は、内部キャビティ７００（例えば、図７）の充填に使用される弾性ポリマー材料とフェース部１６２との間の接着力を改善し及び／又は剥離を緩和するように、非平滑なバック面を含んでもよい。研磨ブラスト工程（例えば、ビーズブラスト工程、サンドブラスト工程、他の適切なブラスト工程、又はそれらの任意の組み合わせ）及び／又はフライス（機械）加工などの様々な方法及び／又は工程を使用して、バック面１６６を非平滑にすることができる。例えば、バック面１６６は、０．５から２５０μインチ（０．０１２から６．３μｍ）の範囲の表面粗さ（Ｒａ）を有してもよい。器具、方法、及び製造物は、これに限定されない。
【００８７】
図１９−２１に示すように、例えば、フェース部１９００は、フロント面１９１０及びバック面２０１０を含んでもよい。フロント面１９１０は、概して１９２０として示される、フロント面１９１０を横切って長手方向に延びる（例えば、図１のトウ部１４０とヒール部１５０の間に延びる）、１以上の溝を含んでもよい。フロント面１９１０は、ゴルフボール（不図示）に衝撃を与えるために使用されてもよい。
【００８８】
バック面２０１０も、概して２０２０として示される、１以上の溝（channels）を含んでもよい。溝２０２０は、バック面２０１０を横切って長手方向に延びてもよい。溝２０２０は、互いに平行又は実質的に平行であってもよい。溝２０２０は、内部キャビティ７００を充填するために使用される弾性ポリマー材料と係合し、フェース部１９００と弾性ポリマー材料の間の機械的ロック機構として働くことができる。具体的には、溝２１００は、開口部２１１０、ボトム区間２１２０、及び、概して２１３０及び２１３２として示される、２つのサイドウォールを含んでもよい。ボトム区間２１２０は、バック部２０１０に対して平行又は実質的に平行であってもよい。２つのサイドウォール２１３０及び２１３２は、近づいていくサイドウォールであってもよい（すなわち、サイドウォール２１３０及び２１３２は互いに非平行であってもよい）。ボトム区間２１２０とサイドウォール２１３０及び２１３２は、概して２１４０及び２１４２として示される、２つのアンダーカット部を形成してもよい。すなわち、開口部２１１０における幅２１１５は、ボトム区間２１２０における幅２１２５より小さくてもよい。溝２１００の断面は、軸２１５０に対して対称であってもよい。図２１は、平坦又は実質的に平坦なサイドウォールを示したが、２つのサイドウォール２１３０及び２１３２は、湾曲していてもよい（例えば、互いに対して凸状）。
【００８９】
図２１に示したような平坦又は実質的に平坦なサイドウォールではなく、溝は他のタイプのサイドウォールを含んでもよい。図２２に示すように、例えば、溝２２００は、開口部２２１０、ボトム区間２２２０、及び、概して２２３０及び２２３２として示される、２つのサイドウォールを含んでもよい。ボトム区間２２２０は、バック面２０１０に対して平行又は実質的に平行であってもよい。２つのサイドウォール２２３０及び２２３２は、段差のあるサイドウォールであってもよい。ボトム区間２２２０とサイドウォール２２３０及び２２３２は、概して２２４０及び２２４２として示される、２つのアンダーカット部を形成してもよい。すなわち、開口部２２１０における幅２２１５は、ボトム区間２２２０における幅２２２５より小さくてもよい。溝２２００の断面は、軸２２５０に対して対称であってもよい。
【００９０】
図２１−２２に示したように対称的ではなく、溝は非対称であってもよい。図２３に示すように、別の例では、溝２３００は、開口部２３１０、ボトム区間２３２０、及び、概して２３３０及び２３３２として示される、２つのサイドウォールを含んでもよい。ボトム区間２３２０は、バック面２０１０に対して平行又は実質的に平行であってもよい。ボトム区間２３２０とサイドウォール部２３３０は、アンダーカット部２３４０を形成してもよい。
【００９１】
図２４を参照し、例えば、溝２４００は、開口部２４１０、ボトム区間２４２０、及び、概して２４３０及び２４３２として示される、２つのサイドウォールを含んでもよい。ボトム区間２４２０は、バック面２０１０に対して平行又は実質的に平行でなくともよい。２つのサイドウォール２４３０及び２４３２は、互いに平行又は実質的に平行であり得るが、一方のサイドウォールは他方のサイドウォールより長くてもよい。ボトム区間２４２０とサイドウォール２４３２は、アンダーカット部２４４０を形成してもよい。
【００９２】
図３４に示す例では、フェース部２５００は、概して２５２０として示される、バック面２５１０を横切って短手方向に延びる（例えば、図１のトップ部１８０とソール部１９０の間に延びる）、１以上の溝を持つバック面２５１０を含んでもよい。図２６に示す別の例では、フェース部２６００は、概して２６２０として示される、バック面２６１０を横切って斜め方向に延びる、１以上の溝を持つバック面２６１０を含んでもよい。あるいは、フェース部は、フェース部のバック面を異なる方向に横切って延びる溝の組み合わせを含んでもよい（例えば、長手方向、短手方向、及び／又は斜め方向に延びる）。図２７に戻り、更に別の例では、フェース部２７００は、概して２７２０、２７３０、２７４０として示される、バック面２７１０を横切って異なる方向に延びる、１以上の溝を持つバック面３６１０を含んでもよい。具体的には、フェース部２７００は、バック面２７１０を横切って長手方向に延びる複数の溝２７２０と、バック面２７１０を横切って短手方向に延びる複数の溝２７３０と、バック面２７１０を横切って斜め方向に延びる複数の溝２７４０を含んでもよい。
【００９３】
図２８を参照し、例えば、ゴルフクラブヘッド１００は、フェース部１６２、結合部２８１０、及び弾性ポリマー材料２８２０を含んでもよい。結合部２８１０は、フェース部１６２に対する弾性ポリマー材料２８２０の接続、取り付け、及び／又は結合を提供することができる。結合部２８１０は、結合剤、結合剤の組み合わせ、結合構造又は取付デバイス、結合構造及び又は取付デバイスの組み合わせ、及び／又は、１以上の結合剤、１以上の結合構造及び／又は１以上の取付デバイスの組み合わせであってもよい。例えば、結合部２８１０は、フェース部１６２とゴルフクラブヘッド１００（例えば、図７）の内部キャビティ７００の充填に使用される弾性ポリマー材料との間の接着力の改善及び／又は層間剥離の軽減のために結合剤を含んでもよい。一例では、結合部２８１０は、ミシガン州、オーバーンヒルズ、Ｄｏｗ  Ｃｈｅｍｉｃａｌ社製の材料であるＭＥＧＵＭ（登録商標）、ＲＯＢＯＮＤ（登録商標）、及び／又はＴＨＩＸＯＮ（登録商標）のような、低粘度有機溶剤型の溶液及び／又はポリマーと他の反応性化学物質の分散液であってもよい。別の例では、結合部結合部２８１０は、フェース部１６２に弾性ポリマー材料２８２０を結合するためにバック面１６６に適用されてもよい（例えば、バック面１６６と弾性ポリマー材料２８２０の間に延びる）。例えば、結合部２８１０は、内部キャビティ７００が射出成型工程を介して弾性ポリマー材料２８２０で充填されるときに適用されてもよい。器具、方法、及び製造物は、これに限定されない。
【００９４】
図２９は、本明細書に記載のゴルフクラブヘッド１００又は任意のゴルフクラブヘッドの内部キャビティ７００に、部分的に又は完全に弾性ポリマー材料又はエラストマー材料を充填する１つの方法を示す。プロセス２９００は、ゴルフクラブヘッド１００を特定の温度に加熱することで開始してもよい（ブロック２９１０）。一例では、ゴルフクラブヘッド１００は、内部キャビティ７００に注入される弾性ポリマー材料の気化温度などの要因に依存して、１５０℃から２５０℃の範囲の温度に加熱することができる。次いで、弾性ポリマー材料が特定の温度に加熱されてもよい（ブロック２９２０）。弾性ポリマー材料は、非発泡及び射出成型可能な熱可塑性エラストマー（ＴＰＥ）材料であってもよい。従って、弾性ポリマー材料は、内部キャビティ７００に注入される前に液体又は流動状態になるように加熱されてもよい。弾性ポリマー材料が加熱される温度は、内部キャビティ７００に部分的に又は完全に充填するために使用される弾性ポリマー材料のタイプに依存し得る。加熱された弾性ポリマー材料は、内部キャビティ７００を部分的に又は完全に充填するように、内部キャビティ７００に注入される（ブロック２９３０）。弾性ポリマー材料は、本明細書に記載の１以上のウェイトポート（例えば、図１４に示される第１及び第２セットのウェイトポート１４２０、１４３０のそれぞれの１以上のウェイトポート）から内部キャビティ７００に注入されてもよい。１以上のウェイトポートは、弾性ポリマー材料によって置換された内部キャビティ７００の内部の空気が内部キャビティ７００から排気されることを可能にしてもよい。一例では、ゴルフクラブヘッド１００は、射出成型工程の間、図１４に示すように水平に向けられてもよい。弾性ポリマー材料は、ウェイトポート１４３１及び１４３２から内部キャビティ７００に注入されてもよい。ウェイトポート１４２１、１４２２及び／又は１４２３は、内部キャビティ７００から置換された空気を排気するための通気孔として機能してもよい。従って、射出成型工程中のゴルフクラブヘッド１００の向きに関わらず、弾性ポリマー材料は、１以上の上側にあるウェイトポートを通気孔として機能させながら、１以上の下側にあるウェイトポートから内部キャビティ７００に注入されてもよい。次いで、型（すなわち、ゴルフクラブヘッド１００）は、弾性ポリマー材料が固体状態になってフェース部１６２のバック面１６６に接着するように、受動的（例えば、室温で）又は能動的に冷却されてもよい。弾性ポリマー材料は、フェース部１６２のバック面１６６に直接に接着されてもよい。あるいは、弾性ポリマー材料は、バック面１６６及び／又は本明細書に記載の結合剤（例えば、図２８に示される結合部２８１０）の支援を受けて、フェース部１６２のバック面１６６に接着されてもよい。本明細書に記載の器具、方法、及び製造物は、これに限定されない。
【００９５】
上述したように、弾性ポリマー材料は、液体状態（すなわち、非発泡性）に加熱され、内部キャビティ７００に射出成型された後に凝固されてもよい。低い弾性率を持つ弾性ポリマー材料は、フェース部１６２がゴルフボールに衝突するときのフェース部１６２に関する振動及びノイズの減衰を提供することができる。例えば、加熱されたときに発泡する弾性ポリマー材料は、振動及びノイズの減衰を提供することができる。しかしながら、このような発泡弾性ポリマー材料は、ゴルフボールの衝撃を吸収するときに弾性ポリマー材料の過度の撓み及び／又は圧縮の可能性があるため、比較的薄いフェース部に構造的支持を提供するのに十分な剛性を有さないことがある。一例では、内部キャビティ７００に射出成型された弾性ポリマー材料は、フェース部１６２に構造的支持を提供するように比較的高い弾性率を有すると共に、ゴルフボールを打つときにフェース部１６２が受ける衝撃力を吸収するように弾性的に撓んでもよい。従って、比較的高い弾性率を有する非発泡及び射出成型可能な弾性ポリマー材料は、振動及びノイズの減衰を提供することに加えてフェース部１６２の構造的支持及び補強を提供するように、内部キャビティ７００を部分的に又は完全に充填するために使用されてもよい。すなわち、非発泡及び射出成型可能な弾性ポリマー材料は、フェース部１６２のための構造的支持部であってもよい。器具、方法、及び製造物は、これに限定されない。
【００９６】
図３０は、本明細書に記載の結合剤を内部キャビティ７００に部分的に又は完全に弾性ポリマーを注入する前のゴルフクラブヘッドに適用する１つの方法を示す。図３０の例では、プロセス３９００は、フェース部１６２のバック面１６６に結合剤を噴射することで開始してもよい（ブロック３０１０）。結合剤は、結合剤の特性に応じて上記のようにゴルフクラブヘッドを加熱する前又は後にバック面１６６に噴射されてもよい。結合剤は、第１セットのウェイトポート１４２０及び／又は第２セットのウェイトポート１４３０の１以上を通じて噴射されてもよい。結合剤は、第１セットのウェイトポート１４２０及び第２セットのウェイトポート１４３０の幾つか又は全てを通じてバック面１６６に噴射されてもよい。例えば、ノズル又は針などの噴射器具は、器具の先端又は出口部がバック面１６６に近づくまで、各ウェイトポートに挿入されてもよい。その後、結合剤は、器具の出口部からバック面１６６に噴射されてもよい。更に、器具は、結合剤が器具の周囲のバック面１６６の領域に噴射されるように、内部キャビティ７００の内部で移動、回転及び／又は旋回されてもよい。例えば、噴射器具の出口部は、バック面１６６の環状パターンに対応して結合剤が噴射されるように、ウェイトポートの内側を環状パターンで移動されてもよい。第１セットのウェイトポート１４２０及び第２セットのウェイトポート１４３０の各々は、バック面１６６に結合剤を噴射するのに使用されてもよい。しかしながら、第１セットのウェイトポート１４２０及び／又は第２セットのウェイトポート１４３０の全ての使用を必要としなくてもよい。例えば、全ての他の隣接するウェイトポートの使用は、バック面１６６全体に結合剤を噴射するのに十分であり得る。別の例では、ウェイトポート１４２１、１４２２、１４３１、１４３３及び１４３６は、バック面１６６に結合剤を噴射するのに使用されてもよい。器具、方法、及び製造物は、これに限定されない。
【００９７】
プロセス３０００はまた、バック面１６６に結合剤の略均一な被膜が提供されるように、バック面１６６に結合剤を噴射した後でバック面１６６に結合剤を広げること（ブロック３９２０）を含んでもよい。一例によれば、結合剤は、第１セットのウェイトポート１４２０及び第２セットのウェイトポート１４３０の１以上を通じて内部キャビティ７００に空気を噴射することによって、バック面１６６に広げられてもよい。空気は、第１セットのウェイトポート１４２０及び第２セットのウェイトポート１４３０の１以上に空気ノズルを挿入することによって、内部キャビティ７００及びバック面１６６に噴射されてもよい。一例によれば、空気ノズルは、バック面１６６における結合剤の均一な被膜又は略均一な被膜のために、結合剤に空気を均一に吹き付けてバック面１６６に結合剤が広がるように、バック面１６６から一定距離で回転、移動及び／又は旋回されてもよい。器具、方法、及び製造物は、これに限定されない。
【００９８】
【００９９】
【０１００】
プロセス３０００の例は、単に、ゴルフクラブヘッド１００を製造する１つの方法の例を他の図と共に提供し、説明している。アクションの特定の順序を図３０に示しているが、これらのアクションは、他の経時的な順番で実行されてもよい。更に、図３０に示す２以上のアクションは、連続して、同時に、又は一斉に実行されてもよい。プロセス３０００は、結合剤を噴射してバック面１６６を均一又は略均一に被膜する単一のアクションを含んでもよい。一例では、結合剤は、微粒子又は小滴に変換（すなわち、霧化）されてバック面１６６にスプレーされることによって、バック面１６６に噴射されてもよい。従って、バック面１６６は、１つのアクションで、結合剤で均一又は略均一に被膜されてもよい。結合剤によるバック面１６６の略均一な被膜は、噴射工程又は製造工程に起因する僅かな非均一性を持つ被膜として定義されてもよい。しかしながら、そのような僅かな非均一性は、本明細書に記載の結合剤でバック面１６６に弾性ポリマー材料又はエラストマー材料を結合するのに影響を及ぼさない。例えば、バック面１６６への結合剤のスプレーで、バック面１６６の結合剤の他の領域よりも僅かに大きい厚さの被膜を有する結合剤の重複領域が得られる。器具、方法、及び製造物は、これに限定されない。
【０１０１】
本明細書に記載したように、２以上のウェイト部は、単一のウェイト部として構成されてもよい。図３１及び３２の例では、ゴルフクラブヘッド３１００は、ボディ部３１１０と、概して第１セットのウェイト部３１２０（例えば、図示のウェイト部３１２１、３１２２、３１２３、及び３１２４）及び第２セットのウェイト部３１３０として示される、２以上のウェイト部とを含んでもよい。ボディ部３１１０は、トウ部３１４０、ヒール部３１５０、フロント部（不図示）、バック部３１７０、トップ部３１８０、及びソール部３１９０を含んでもよい。フロント部は、ゴルフクラブヘッド１００のフロント部１６０と多くの点で類似してもよい。従って、ゴルフクラブヘッド３１００のフロント部の詳細は提供されない。
【０１０２】
ボディ部３１１０は、第１の材料で作製され得る一方で、第１セットのウェイト部３１２０及び第２セットのウェイト部３１３０は、第２の材料で作製され得る。第１及び第２の材料は、類似の材料でもよく、異なる材料でもよい。例えば、ボディ部３１１０は、部分的に又は完全に、鋼系材料（例えば、１７−４ＰＨステンレス鋼、Ｎｉｔｒｏｎｉｃ（登録商標）５０ステンレス鋼、マレージング鋼又は他のタイプのステンレス鋼）、チタン系材料、アルミニウム系材料（例えば、高強度アルミニウム合金又は高強度合金で被覆された複合アルミニウム合金）、それらの任意の組み合わせ、及び／又は他の適切なタイプの材料で作製されてもよい。第１セットのウェイト部３１２０及び第２セットのウェイト部３１３０は、部分的に又は完全に、タングステン系材料のような高密度材料又は他の適切なタイプの材料で作製されてもよい。あるいは、ボディ部３１１０及び／又は第１セットのウェイト部３１２０及び第２セットのウェイト部３１３０は、部分的に又は完全に、非金属材料（例えば、複合材料、プラスチック、等）で作製されてもよい。器具、方法、及び製造物は、これに限定されない。
【０１０３】
ゴルフクラブヘッド３１００は、アイアン型ゴルフクラブヘッド（例えば、１番アイアン、２番アイアン、３番アイアン、４番アイアン、５番アイアン、６番アイアン、７番アイアン、８番アイアン、９番アイアン、等）でもよく、又はウェッジ型ゴルフクラブヘッド（例えば、ピッチングウェッジ、ロブウェッジ、サンドウェッジ、４４度（°）、４８°、５２°、５６°、６０°のようなｎ度ウェッジ、等）でもよい。図３１及び３２は特定のタイプのクラブヘッドを示すが、本明細書に記載の器具、方法、及び製造物は、他のタイプのクラブヘッド（例えば、ドライバ型クラブヘッド、フェアウェイウッド型クラブヘッド、ハイブリッド型クラブヘッド、パター型クラブヘッド、等）に適用されてもよい。本明細書に記載の器具、方法、及び製造物は、これに限定されない。
【０１０４】
トウ部３１４０及びヒール部３１５０は、ボディ部３１１０の対向する両端部にあってもよい。ヒール部３１５０は、ゴルフクラブを形成するシャフトの一方の端部で、グリップ（不図示）を持つシャフト（不図示）を受けるように構成されたホーゼル部３１５５と、他方の端部にあるゴルフクラブヘッド３１００とを含んでもよい。
【０１０５】
バック部３１７０は、概して第１セットの外部ウェイトポート３２２０（例えば、図示のウェイトポート３２２１、３２２２、３２２３、及び３２２４）及び第２セットの外部ウェイトポート３２３０として示される、バック部３１７０の周囲に沿った１以上の外部ウェイトポートを有するバックウォール部３２１０を含んでもよい。第１セットのウェイトポート３２２０の各外部ウェイトポートは、ポート直径と関連付けられてもよい。一例では、ポート直径は、約０．２５インチ（６．３５ミリメートル）であってもよい。第１セットの外部ウェイトポート３２２０のうちのいずれか２つの隣接する外部ウェイトポートは、ポート直径よりも小さい距離で分離されてもよい。第１セットの外部ウェイトポート３２２０及び第２セットの外部ウェイトポート３２３０は、１以上のウェイト部を受けるように構成された外部ウェイトポートであってもよい。
【０１０６】
第１セットのウェイト部３１２０の各ウェイト部（例えば、図示のウェイト部３１２１、３１２２、３１２３、及び３１２４）は、トップ部３１８０のトウ部３１４０及び／又はバック部３１７０にある又はその近傍にあるウェイトポート（例えば、図示のウェイトポート３２２１、３２２２、３２２３、及び３２２４）に配置されてもよい。例えば、ウェイト部３１２１は、部分的に又は完全にウェイトポート３２２１に配置されてもよい。別の例では、ウェイト部３１２２は、トップ部３１８０とトウ部３１４０の間の推移領域（例えば、トップ・アンド・トウ推移領域）にあるウェイトポート３２２２に配置されてもよい。第１セットのウェイトポート３２２０と第１セットのウェイト部３１２０の構成は、多くの点でゴルフクラブヘッド１００と類似している。従って、第１セットのウェイトポート３２２０と第１セットのウェイト部３１２０の構成の詳細な説明は、提供されない。
【０１０７】
第２セットのウェイトポート３２３０は、トウ部３１４０又はトウ部３１４０の近傍の位置からソール部３１９０又はソール部３１９０の近傍の位置、及び、トウ部３１４０とソール部３１９０の間の推移領域を通って延びる凹部であってもよい。従って、図３１に示すように、第２のウェイトポート３２３０は、Ｌ字型の凹部に似ていてもよい。第２のウェイト部３１３０は、第２のウェイトポート３２３０の形状に似ていてもよく、第２のウェイトポート４１３０に配置されるよう構成されてもよい。第２のウェイト部３１３０は、部分的に又は完全にウェイトポート３２３０に配置されてもよい。第２のウェイト部３１３０は、楕円形、貼付系、三角形、又は任意の幾何学的又は非幾何学的な形状のような任意の形状を有してもよい。第２のウェイトポート３２３０は、第２のウェイト部３１３０と類似の形状でもよい。しかしながら、第２のウェイトポート３２３０に挿入される第２のウェイト部３１３０の一部は、ウェイトポート３２３０と類似の形状を有してもよい。本明細書に詳細に記載したように、ウェイト部３１２０及び第２のウェイト部３１３０を含む、本明細書に記載の任意のウェイト部は、種々の製造方法及び／又は工程（例えば、ボンディング工程、溶接工程、ろう付け工程、機械的なロック方法、それらの任意の組み合わせ、又は他の適切なタイプの製造方法及び／又は工程）でボディ部３１１０のバック部３１７０に結合されてもよい。
【０１０８】
第２のウェイト部３１３０は、ゴルフクラブヘッド１００の重心を最適な位置に配置すると共に、ゴルフクラブヘッド３１００の重心を通って延びる垂直軸におけるゴルフクラブヘッドの慣性モーメントを最適化するように構成されてもよい。第２のウェイト部３１３０の全部又はかなりの部分は、概してソール部３１９０の近くにあってもよい。例えば、第２のウェイト部３１３０は、ボディ部３１１０の周囲の近くにあると共に、ソール部３１９０からトウ部３１９０まで延在してもよい。図３２の例に示すように、第２のウェイト部３１３０は、ボディ部３１１０の周囲の近く配置されると共に、ゴルフクラブヘッド３１００の重心が低くなるように、一部又は大部分がソール部３１９０に沿って延在してもよい。第２のウェイト部３１３０の一部は、ボディ部３１１０の周囲の近く配置されると共に、重心が低くなり且つ重心を通って延びる垂直軸におけるゴルフクラブヘッド３１００の慣性モーメントが増加するように、ソール部３１９０からソール部３１９０とトウ部３１４０の間の推移領域３１４７を通ってトウ部３１４０まで延在してもよい。ゴルフクラブヘッド３１００の重心が低くなるように、第２のウェイト部３１３０の全部又は一部は、ゴルフクラブヘッド３１００の水平中央平面３２６０よりソール部３１９０の近くに配置されてもよい。第２のウェイト部３１３０の位置（すなわち、ウェイトポート３２３０の位置）と、第２のウェイトポート３１３０のウェイト部の物理的特性及び構成材料は、重量、重量分布、重心、慣性モーメント特性、構造的完全性、及び／又はゴルフクラブヘッド３１００の他の静的及び／又は動的特性に最適に作用するように決定されてもよい。本明細書に記載の器具、方法、及び製造物は、これに限定されない。
【０１０９】
第１セットのウェイト部３１２０のウェイト部は、類似又は異なる物理的特性（例えば、色、形状、サイズ、密度、質量、体積、等）を有してもよい。図３２に図示した例では、第１セットのウェイト部３１２０のウェイト部の各々は、円筒形（例えば、円形の断面）を有してもよい。あるいは、第１セット３１２０のウェイト部の各々は、異なる形状であってもよい。上記の例は特定の形状を持つウェイト部を記載しているが、本明細書に記載の器具、方法、及び製造物は、他の適切な形状（例えば、球体、立方体、円錐、円柱、角錐、立方体状、角柱、錐台、又は他の適切な幾何学的形状、の一部又は全部）のウェイト部を含んでもよい。本明細書に記載の器具、方法、及び製造物は、これに限定されない。
【０１１０】
図３３−４２の例では、ゴルフクラブヘッド３３００は、ボディ部３３１０と、概して第１セットのウェイト部３３２０（例えば、図示のウェイト部３３２１及び３３２２）及び第２セットのウェイト部３３３０（例えば、図示のウェイト部３３３１、３３３２、３３３３、３３３４及び３３３５）として示される、２以上のウェイト部とを含んでもよい。ボディ部３３１０は、トウ部３３４０、ヒール部３３５０、フロント部３３６０、バック部３３７０、トップ部３３８０、及びソール部３３９０を含んでもよい。ヒール部３３５０は、ゴルフクラブを形成するシャフトの一方の端部で、グリップ（不図示）を持つシャフト（不図示）を受けるように構成されたホーゼル部３３５５と、他方の端部にあるゴルフクラブヘッド３３００とを含んでもよい。
【０１１１】
ボディ部３３１０は、第１の材料で作製され得る一方で、第１及び第２セットのウェイト部３３２０、３３３０は、それぞれ、第２の材料で作製され得る。第１及び第２の材料は、類似の材料でもよく、異なる材料でもよい。ゴルフクラブヘッド３３００、ウェイト部３３２０及び又はウェイト部３３３０を構成する材料は、ゴルフクラブヘッド１００のような本明細書に記載の任意のゴルフクラブヘッド及びウェイト部と多くの点で類似してもよい。従って、ゴルフクラブヘッド３３００、ウェイト部３３２０及び又はウェイト部３３３０を構成する材料の詳細な説明は、詳述されない。器具、方法、及び製造物は、これに限定されない。
【０１１２】
ゴルフクラブヘッド３３００は、アイアン型ゴルフクラブヘッド（例えば、１番アイアン、２番アイアン、３番アイアン、４番アイアン、５番アイアン、６番アイアン、７番アイアン、８番アイアン、９番アイアン、等）でもよく、又はウェッジ型ゴルフクラブヘッド（例えば、ピッチングウェッジ、ロブウェッジ、サンドウェッジ、４４度（°）、４８°、５２°、５６°、６０°のようなｎ度ウェッジ、等）でもよい。図３３−４２は特定のタイプのクラブヘッドを示すが、本明細書に記載の器具、方法、及び製造物は、他のタイプのクラブヘッド（例えば、ドライバ型クラブヘッド、フェアウェイウッド型クラブヘッド、ハイブリッド型クラブヘッド、パター型クラブヘッド、等）に適用されてもよい。本明細書に記載の器具、方法、及び製造物は、これに限定されない。
【０１１３】
フロント部３３６０は、フェース部３３６２（例えば、打撃面）を含んでもよい。フェース部３３６２は、フロント面３３６４及びバック面３３６６を含んでもよい（図３７に示す）。フロント面３３６４は、トウ部３３４０とヒール部３３５０の間に延びる１以上の溝（grooves）３３６８を含んでもよい。図では特定の数の溝を示すが、本明細書に記載の器具、方法、及び製造物は、より多い又は少ない溝を含んでもよい。フェース部３３６２は、ゴルフボール（不図示）に衝撃を与えるために使用されてもよい。フェース部３３６２は、ボディ部３３１０と一体的な部分であってもよい。あるいは、フェース部３３６２は、種々の製造方法及び／又は工程（例えば、接着剤などのボンディング工程、レーザ溶接などの溶接工程、ろう付け工程、半田付け工程、定着工程、機械的なロック又は接続方法、それらの任意の組み合わせ、又は他の適切なタイプの製造方法及び／又は工程）を介してボディ部３３１０に結合される別の部品又は挿入物でもよい。フェース部３３６２は、ゴルフクラブヘッド３３００のロフト角を画定するロフト面と関連付けられてもよい。ロフト角は、ゴルフクラブのタイプ（例えば、ロングアイアン、ミドルアイアン、ショートアイアン、ウェッジ、等）によって異なってもよい。一例では、ロフト角は、５度から７５度の間としてもよい。別の例では、ロフト角は２０度から６０度の間としてもよい。本明細書に記載の器具、方法、及び製造物は、これに限定されない。
【０１１４】
図３６に示すように、バック部３３７０は、概して第１セットの外部ウェイトポート３５２０（例えば、図示のウェイトポート３５２１及び３５２２）及び第２セットの外部ウェイトポート３５３０（例えば、図示のウェイトポート３５３１、３５３２、３５３３、３５３４及び３５３５）として示される、バック部３３７０の周囲に沿った１以上の外部ウェイトポートを有するバックウォール部３５１０を含んでもよい。各外部ウェイトポートは、バックウォール部３５１０の開口部によって画定されてもよい。各外部ウェイトポートは、ポート直径と関連付けられてもよい。一例では、ポート直径は、約０．２５インチ（６．３５ミリメートル）であってもよい。第１セットの外部ウェイトポート３５２０のウェイトポートは、第１セットの外部ウェイトポート３５２０のうちのいずれか２つの隣接する外部ウェイトポートのポート直径以下の距離で分離されてもよい。同様に、第２セットの外部ウェイトポート３５３０のうちのいずれか２つの隣接する外部ポートは、第２セットの外部ウェイトポート３５３０のうちのいずれか２つの隣接する外部ウェイトポートのポート直径以下の距離で分離されてもよい。第１及び第２セットの外部ウェイトポート３５２０、３５３０は、それぞれ、１以上のウェイト部を受けるように構成された外部ウェイトポートであってもよい。具体的には、第１セットのウェイト部３３２０の各ウェイト部（例えば、図示のウェイト部３３２１及び３３２２）は、バック部３３７０のトウ部３３４０及び／又はトップ部３３８０にある又はその近傍にあるウェイトポートに配置されてもよい。例えば、ウェイト部３３２１は、部分的に又は完全にウェイトポート３５２１に配置されてもよい。別の例では、ウェイト部３３２２は、トップ部３３８０とトウ部３３４０の間の推移領域（例えば、トップ・アンド・トウ推移領域）にあるウェイトポート３５２２に配置されてもよい。第２セットのウェイト部３３３０の各ウェイト部（例えば、図示のウェイト部３３３１、３３３２、３３３３、３３３４及び３３３５）は、バック部３３７０のトウ部３３４０及び／又はソール部３３９０にある又はその近傍にあるウェイトポートに配置されてもよい。例えば、ウェイト部３３３３は、部分的に又は完全にウェイトポート３５３３に配置されてもよい。別の例では、ウェイト部３３３５は、ソール部３３９０とトウ部３３４０の間の推移領域（例えば、ソール・アンド・トウ推移領域）にあるウェイトポート３５３５に配置されてもよい。別の例では、第１セットのウェイト部３３２０及び第２セットのウェイト部３３３０の任意のウェイト部は、第１セットのウェイトポート３５２０及び第２セットのウェイトポート３５３０の任意のウェイトポートに配置されてもよい。以下に詳細に説明するように、第１及び第２セットのウェイト部３３２０、３３３０は、それぞれ、種々の製造方法及び／又は工程（例えば、ボンディング工程、溶接工程、ろう付け工程、機械的なロック方法、それらの任意の組み合わせ、又は他の適切なタイプの製造方法及び／又は工程）でボディ部３３１０のバック部３３７０に結合されてもよい。
【０１１５】
あるいは、ゴルフクラブヘッド３３００は、（ｉ）第１セットのウェイト部３３２０を含まなくてもよく、（ｉｉ）第２セットのウェイト部３３３０を含まなくてもよく、又は（ｉｉｉ）第１及び第２セットのウェイト部３３２０、３３３０の両方を含まなくてもよい。具体的には、ボディ部３３１０のバック部３３７０は、トップ部３３７０及び／又はソール部３３９０にあるウェイトポートを含まなくてもよく、その近傍にあるウェイトポートを含まなくてもよい。例えば、第１セットのウェイト部３３２０の質量（例えば、３グラム）及び／又は第２セットのウェイト部３３３０の質量（例えば、１６．８グラム）は、別々のウェイト部（複数可）の代わりにボディ部３３１０と一体的な部品（複数可）であってもよい。本明細書に記載の器具、方法、及び製造物は、これに限定されない。
【０１１６】
第１及び第２セットのウェイト部３３２０、３３３０は、それぞれ、類似又は異なる物理的特性（例えば、色、形状、サイズ、密度、質量、体積、等）を有してもよい。その結果、第１及び第２セットのウェイト部３３２０、３３３０は、それぞれ、ゴルフクラブヘッド３３００の装飾的デザインに寄与することができる。第１及び第２セットのウェイト部３３２０、３３３０はの物理的特性は、図１１に例示したウェイト部のような、本明細書に記載の任意のウェイト部と多くの点で類似してもよい。更に、第１及び第２セットのウェイト部３３２０、３３３０をゴルフクラブヘッド３３００に結合するデバイス及び／又は方法は、図１２及び１３に例示したウェイト部のような、本明細書に記載の任意のウェイト部と多くの点で類似してもよい。従って、第１及び第２セットのウェイト部３３２０、３３３０の物理的特性、及び第１及び第２セットのウェイト部３３２０、３３３０をゴルフクラブヘッド３３００に結合するデバイス及び／又は方法の詳細な説明は、本明細書では詳述しない。本明細書に記載の器具、方法、及び製造物は、これに限定されない。
【０１１７】
図３４に示すように、ゴルフクラブヘッド３３００は、グラウンド面４１１０、水平中央平面４１２０、及びトップ面４１３０と関連付けられてもよい。特に、グラウンド面４１１０は、ゴルフクラブヘッド３３００がアドレスポジション（例えば、ゴルフクラブヘッド３３００がゴルフボールを打つために調整される）にあるときに、グラウンドと実質的に平行となり且つゴルフクラブヘッド３３００のソール部３３９０に接線する面であってもよい。トップ面４１３０は、ゴルフクラブヘッド３３００がアドレスポジションにあるときに、ゴルフクラブヘッド３３００のトップ部３３８０に接する面であってもよい。グラウンド面４１１０及びトップ面４１３０は、それぞれ、互いに実質的に平行であってもよい。水平中央平面４１２０は、グラウンド面４１１０及びトップ面４１３０のそれぞれの間の垂直方向の中間であってもよい。
【０１１８】
ゴルフクラブヘッド１００のための最適な周囲の重み付けを提供するために、第１セットのウェイト部３３２０（例えば、ウェイト部３３２１及び３３２２）は、ホーゼル３３５５の重さと釣り合い及び／又はゴルフクラブヘッド３３００の重心を通って延びるゴルフクラブヘッド３３００の垂直軸における慣性モーメントが増加するように構成されてもよい。例えば、図３４に示すように、第１セットのウェイト部３３２０（例えば、ウェイト部３３２１及び３３２２）は、ボディ部３３１０の周囲の近くにあると共に、トップ３３８０とトウ部３３４０の間の推移領域３３４５に延在してもよい。別の例では、第１セットのウェイト部３３２０（例えば、ウェイト部３３２１及び３３２２）は、ボディ部３３１０の周囲の近くにあると共に、トウ部３３４０の近傍に延在してもよい。第１セットのウェイト部３３２０の位置（すなわち、第１セットのウェイトポート３５２０の位置）と、第１セットのウェイト部３３２０のウェイト部の物理的特性及び構成材料は、重量、重量分布、重心、慣性モーメント特性、構造的完全性、及び／又はゴルフクラブヘッド３３００の他の静的及び／又は動的特性に最適に作用するように決定されてもよい。本明細書に記載の器具、方法、及び製造物は、これに限定されない。
【０１１９】
第２のウェイト部３３３０（例えば、ウェイト部３３３１、３３３２、３３３３、３３３４及び３３３５）は、ゴルフクラブヘッドの重心が最適な位置に配置され及び／又はゴルフクラブヘッド３３００の重心を通って延びる垂直軸における慣性モーメントが最適化されるように構成されてもよい。図３４を参照し、第２セットのウェイト部３３３０の全部又はかなりの部分は、ソール部３３９０の近くにあってもよい。例えば、第２セットのウェイト部３３３０（例えば、ウェイト部３３３１、３３３２、３３３３、３３３４及び３３３５）は、ゴルフクラブヘッド１００の重心が低くなるように、トップ部３３４０とヒール部３３５０の間のソール部３３９０又はその近傍に延びてもよい。ウェイト部３３３４、３３３５は、重心を通る垂直軸におけるゴルフクラブヘッド３３００の慣性モーメントが増加するように、ヒール部３３５０よりもトウ部３３４０に近くに、及び／又はソール部３３９０とトウ部３３４０の間の推移領域３３４７又はその近傍に配置されてもよい。第２セットのウェイト部３３３０のうちの幾つかのウェイト部は、トウ部に配置されてもよい。ゴルフクラブヘッド３３００の重心が低くなるように、第２セットのウェイト部３３３０の全て又は一部は、水平中央平面４１２０よりソール部３３９０の近くに配置されてもよい。第２セットのウェイト部３３３０の位置（すなわち、第２セットのウェイト部３３５０の位置）と、第２セットのウェイト部３３３０のウェイト部の物理的特性及び構成材料は、重量、重量分布、重心、慣性モーメント特性、構造的完全性、及び／又はゴルフクラブヘッド３３００の他の静的及び／又は動的特性に最適に作用するように決定されてもよい。本明細書に記載の器具、方法、及び製造物は、これに限定されない。
【０１２０】
図３７に戻り、例えば、第１及び第２セットのウェイト部３３２、３３３０は、それぞれ、フェース部３３６２のバック面３３６６から離れて配置されてもよい（例えば、互いに直接結合されない）。すなわち、第１及び第２セットのウェイト部３３２０、３３３０のそれぞれと、バック面３３６６は、ボディ部３３００の内部キャビティ３８００によって部分的に又は完全に分離されてもよい。例えば、第１及び第２セットの外部ウェイトポート３３２０、３３３０の各外部ウェイトポートは、開口部（例えば、概して３８２０及び３８３０として示される）及びポートウォール（例えば、概して３８２５及び３８３５として示される）を含んでもよい。ポートウォール３８２５及び３８３５は、バックウォール部３５１０と一体的な部分（例えば、バックウォール部３５１０の区間）であってもよい。開口部３８２０及び３８３０の各々は、それぞれ、ウェイト部３３２１及び３３３５のようなウェイト部を受けるように構成されてもよい。開口部３８２０は、ウェイトポート３５２１の一方の端部に配置されもよく、ポートウォール３８２５は、ウェイトポート３５２１の反対側の端部又はその近傍に配置されてもよい。同様に、開口部３８３０は、ウェイトポート３５３５の一方の端部に配置されると共に、ポートウォール３８３５は、ウェイトポート３５３５の反対側の端部又はその近傍に配置されてもよい。ポートウォール３８２５及び３８３５は、フェース部３３６２から分離されてもよい（例えば、内部キャビティ３８００で分離される）。ポートウォール３８２５のような、第１セットのウェイトポート３５２０の各ポートウォールは、図３７に示すように、フェース部３３６２のバック面３３６６に対して距離３８２６を設けられてもよい。ポートウォール３８３５のような、第２セットのウェイトポート３５３０の各ポートウォールは、フェース部３３６２のバック面３３６６に対して距離３８３６を設けられてもよい。距離３８２６及び３８３６は、第１及び第２セットのウェイトポート３５２０、３５３０のそれぞれが本明細書に記載のウェイト部を受けるときに、ゴルフクラブヘッド３３００の重心の位置を最適化するように決定されてもよい。一例によれば、距離３８３６は、ゴルフクラブヘッド３３００の重心がバック部３３７０に向かって移動し及び／又はソール部３３９０に向かって低くなるように、距離３８２６より大きくてもよい。一例によれば、距離３８３６は、約１．５から約４の範囲の倍数で距離３８２６より大きくてもよい。換言すれば、距離３８３６は、距離３８２６の約１．５倍から約４倍大きくてもよい。その結果、内部キャビティ３８００の水平中央平面４１２０の下側の部分の幅３８４０（図３４に示す）は、内部キャビティ３８００の水平中央平面４１２０の上側の幅３８４２より大きくてもよい。本明細書に記載の器具、方法、及び製造物は、これに限定されない。
【０１２１】
本明細書で論じたように、第２セットのウェイト部３３３０の全て又はかなりの部分を水平中央平面４１２０よりソール部３３９０の近くにすると共に、第１及び第２セットのウェイト部３３２０、３３３０のそれぞれを第２セットのウェイト部３３３０がバック面３３６６に直接結合される場合よりもバック面３３６６から離すことで、本明細書に記載したように内部キャビティ３８００の幅３８４２より内部キャビティ３８００の幅３８４０を大きくしないゴルフクラブヘッドと比較して、ゴルフクラブヘッド３３００の重心（ＣＧ）はフェース部３３６２から相対的に更に後方に離すことができると共に、グラウンド面（例えば、図３４に４１１０として示される）に向かって相対的に低くすることができる。第１及び第２セットのウェイトポート３５２０、３５３０の位置と、第１及び第２セットのウェイト部３３２０、３３３０のそれぞれの物理的特性及び構成材料は、重量、重量分布、重心、慣性モーメント特性、構造的完全性、及び／又はゴルフクラブヘッド３３００の他の静的及び／又は動的特性に最適に作用するように決定されてもよい。本明細書に記載の器具、方法、及び製造物は、これに限定されない。
【０１２２】
図面は特定の断面形状を持つウェイトポートを示しているが、本明細書に記載の器具、方法、及び製造物は、他の適切な断面形状を持つウェイトポートを含んでもよい。第１及び／又は第２セットのウェイトポート３５２０、３５３０のウェイトポートは、本明細書に記載の任意のウェイトポートの断面形状と類似する断面形状を有してもよい。従って、ウェイトポート３５２０、３５３０の断面形状の詳細な説明は詳述しない。本明細書に記載の器具、方法、及び製造物は、これに限定されない。
【０１２３】
第１及び第２セットのウェイト部３３２０、３３３０は、それぞれ、質量が類似してもよい（例えば、第１及び第２セットのウェイト部３３２０、３３３０のウェイト部の全てが、それぞれ、略同じ重さがある）。あるいは、第１及び第２セットのウェイト部３３２０、３３３０は、それぞれ、個々に質量が異なってもよく、セット全体として質量が異なってもよい。具体的には、第１セット３３２０のウェイト部（例えば、図示の３３２１及び３３２２）の各々は、第２セット３３３０の任意のウェイト部（例えば、図示の３３３１、３３３２、３３３３、３３３４及び３３３５）よりも相対的に小さい質量であってもよい。例えば、第２セットのウェイト部３３３０は、ゴルフクラブヘッド３３００の外部ウェイト部により全質量の５０％以上を占めてもよい。その結果、ゴルフクラブヘッド３３００は、水平中央平面４１２０の下側に配置された外部ウェイト部により全質量の少なくとも５０％を有するように構成することができる。一例では、外部ウェイト部による全質量は、水平中央平面４１２０の上側の外部ウェイト部による全質量より水平中央平面４１２０の下側が大きくなるようにしてもよい。本明細書に記載の器具、方法、及び製造物は、これに限定されない。
【０１２４】
一例では、ゴルフクラブヘッド３３００は、ゴルフクラブのタイプ（例えば、４番アイアン対ロブウェッジ）に基づいて約２２０グラムから約３３０グラムの範囲の質量を有してもよい。ボディ部３３１０は、それぞれ約２０グラム（例えば、外部ウェイト部による全質量）の質量がある第１及び第２セットのウェイト部３３２０、３３３０を含んで、約２００グラムから約３１０グラムの範囲の質量を有してもよい。第１セット３３２０のウェイト部の各々は、約１グラム（１．０ｇ）の質量を有し得る一方で、第２セット３３３０のウェイト部の各々は、約２．４グラムの質量を有し得る。第１セットのウェイト部３３２０の質量の合計は、約３グラムであり得る一方で、第２セットのウェイト部３３３０の質量の合計は、約１６．８グラムであり得る。第２セットのウェイト部３３３０の全質量は、第１セットのウェイト部３３２０の全質量と同じ程度の５倍以上の重さであってもよい（例えば、約３グラムの第１セットのウェイト部３３２０の全質量に対して約１６．８グラムの第２セットのウェイト部３３３０の全質量）。ゴルフクラブヘッド３３００は、第１及び第２セットのウェイト部３３２０、３３３０のそれぞれによる１９．８グラムの全質量を有してもよい（例えば、第１セットのウェイト部３３２０による３グラムと第２セットのウェイト部３３３０による１６．８グラムの合計）。従って、第１セットのウェイト部３３２０は、ゴルフクラブヘッド３３００の外部ウェイト部により全質量の約１５％を占めることができる一方で、第２セットのウェイト部３３３０は、ゴルフクラブヘッド３３００の外部ウェイト部により全質量の約８５％を占めることができる。本明細書に記載の器具、方法、及び製造物は、これに限定されない。
【０１２５】
第１及び第２セットのウェイト部３３２０、３３３０をそれぞれボディ部３３１０と結合（例えば、バック部３３７０のウェイトポートに第１及び第２セットのウェイト部３３２０、３３３０を固定）することにより、ゴルフクラブヘッド３３００の重心（ＣＧ）の位置及び慣性モーメント（ＭＯＩ）は最適化されてもよい。具体的には、本明細書に記載したように、第１及び第２セットのウェイト部３３２０、３３３０は、それぞれ、ソール部３３９０に向かってＣＧの位置を低くすると共に、フェース部３３６２から更に後方に離してもよい。更に、ＭＯＩは、ＣＧを通って延びる垂直軸（例えば、グラウンド面４１１０に垂直）での測定値が高くなってもよい。ＭＯＩはまた、ＣＧを通って延びる水平軸（例えば、ゴルフクラブヘッド３３００のトウ部３３５０及びヒール部３３６０のそれぞれに向かって延在する）での測定値が高くなってもよい。その結果、クラブヘッド３３００は、第１及び第２セットのウェイト部３３２０、３３３０のそれぞれを持たないゴルフクラブヘッドよりも、相対的に高い打ち上げ角と相対的に低いスピン量を提供することができる。本明細書に記載の器具、方法、及び製造物は、これに限定されない。
【０１２６】
あるいは、同じセット内の２以上のウェイト部は、異なる質量であってもよい。一例では、第１セット３３２０のウェイト部３３２１は、第１セット３３２０のウェイト部３３２２よりも相対的に少ない質量であってもよい。別の例では、第２セット３３３０のウェイト部３３３１は、第２セット３３３０のウェイト部３３３５よりも相対的に少ない質量であってもよい。トップ・アンド・トウ推移領域及び／又はソール・アンド・トウ推移領域に相対的に大きな質量があることで、より多くの重量を、重心（ＣＧ）を通る垂直軸の慣性モーメント（ＭＯＩ）が増加するようにゴルフクラブヘッド１００のＣＧから分散させることができる。
【０１２７】
図では別々の個々のパーツとしてウェイト部を示すが、第１及び第２セットのウェイト部３３２０、３３３０の各セットは、それぞれ、単一のウェイト部であってもよい。一例では、第１セット３３２０の全てのウェイト部（例えば、図示の３３２１及び３３２２）は、単一のウェイト部（例えば、第１のウェイト部）に結合されてもよい。同様に、第２セット３３３０の全てのウェイト部（例えば、３３３１、３３３２、３３３３、３３３４及び３３３５）は、図３２の例と同様に単一のウェイト部（例えば、第２のウェイト部）に結合されてもよい。図では特定の数のウェイト部を示すが、本明細書に記載の器具、方法、及び製造物は、より多い又は少ない数のウェイト部を有してもよい。本明細書に記載の器具、方法、及び製造物は、これに限定されない。
【０１２８】
ボディ部３３１０は、フロント部３３６０とバック部３３７０の間に延在する内部キャビティ３８００を含む中空体であってもよい。更に、内部キャビティ３８００は、トップ部３３８０とソール部３３９０の間に延在してもよい。内部キャビティ３８００は、キャビティ高３８５０（ＨC）と関連付けられてもよく、ボディ部３３１０は、ボディ高３９５０（ＨB）と関連付けられてもよい。キャビティ高３８５０及びボディ高３９５０は、トウ部３３４０とヒール部３３５０の間及びトップ部３３８０とソール部３３９０の間で変化し得るが、キャビティ高３８５０は、ボディ高３９５０の少なくとも５０％であってもよい（ＨC＞０．５＊ＨB）。例えば、キャビティ高３８５０は、ボディ高３９５０の７０−８５％の間で変化してもよい。内部キャビティ３８００のキャビティ高３８５０をボディ高３９５０の５０％より大きくすることで、ゴルフクラブ３３００は、ゴルフクラブ３３００がフェース部３３６２を介してゴルフボールを打つときに、ボディ高の５０％より小さいキャビティ高のゴルフクラブよりも、相対的により一貫した感触、音、及び／又は結果を生み出すことができる。本明細書に記載の器具、方法、及び製造物は、これに限定されない。
【０１２９】
内部キャビティ３８００は、キャビティ幅３８４０（ＷC）と関連付けられてもよく、ボディ部３３１０は、ボディ幅３９９０（ＷB）と関連付けられてもよい。キャビティ幅３８４０及びボディ幅３９９０は、トップ部３３８０とソール部３３９０の間、及びトウ部３３４０とヒール部３３５０の間で変化してもよい。キャビティ幅３８４０は、トップ部３３７０とソール部３３９０の間及びトウ部３３４０とヒール部３３５０の間のボディ部３３１０の特定の領域で、ボディ幅３９９０の少なくとも５０％であってもよい（ＷC＞０．５＊ＷB）。別の例によれば、キャビティ幅３８４０は、トップ部３３８０とソール部３３９０の間の特定の領域でボディ幅３９９０の約４０％−５０％の間で変化してもよい。別の例によれば、キャビティ幅３８４０は、トップ部３３８０とソール部３３９０の間の特定の領域でボディ幅３９９０の約３０％−７０％の間で変化してもよい。別の例によれば、キャビティ幅３８４０は、トップ部３３８０とソール部３３９０の間の特定の領域でボディ幅３９９０の約２０％−８０％の間で変化してもよい。例えば、キャビティ幅３８４０は、水平中央平面４１２０又はその下側でボディ幅３９９０の約２０％−８０％の間で変化してもよい。内部キャビティ３８００のキャビティ幅３８９０は、水平中央平面４１２０又はその下側でボディ幅３９９０の約２０％以上から約８０％以下の範囲で変化し得るので、ゴルフクラブヘッド３３００の質量のかなりの部分は、ボディ幅の約２０％より小さいキャビティ幅を持つゴルフクラブヘッドと比較して、より低く且つ更に後方に移動させることができる。更に、ゴルフクラブヘッド３３００は、ゴルフクラブヘッド３３００でフェース部３３６２を介してゴルフボールを打つときに、ボディ幅の２０％より小さいキャビティ幅を持つゴルフクラブよりも、相対的により一貫した感触、音、及び／又は結果を生み出すことができる。本明細書に記載の器具、方法、及び製造物は、これに限定されない。
【０１３０】
ゴルフクラブヘッド３３００のＣＧを低くし、及び／又はゴルフクラブヘッド３３００のＣＧをフェース部３３６０に対して更に後方に移動させるために、水平中央平面４１２０又はその下でボディ幅３９９０の約２０％−８０％の範囲で変化するキャビティ幅３８４０を持つ内部キャビティ３８００を提供するように、バック部３３７０は、水平中央平面４１２０の近くの位置とトップ部３３８０又はその近くの位置との間に延在する凹部３４１０（図３５、３６及び３９に示す）を有してもよい。凹部３４１０は、バック部３３７０の上側ウォール３４１２とレッジ部３４１４とによって画定されてもよい。バック部３３７０の上側ウォール３４１２は、水平中央平面４１２０又はその近くの位置からトップ部３３８０又はその近くの位置まで延在してもよい。レッジ部３４１４は、バック部３３７０の上側ウォール３４１２からバック部３３７０の下側ウォール３４１６まで延在してもよい。バック部３３７０の下側ウォール３４１６は、水平中央平面４１２０又はその近くの位置からボトム部３３８０又はその近くの位置まで延在してもよい。レッジ部３４１４は、上側ウォール３４１２からフェース部３３６０に対して離れる方向に延在してもよい。従って、レッジ部３４１４は、水平中央平面の上側のボディ部３３１０の幅と比較して、ボディ部３３１０の幅が水平中央平面４１２０又はその近くで実質的に増加する上側ウォール３４１２から下側ウォール３４１６への推移を容易にする。レッジ部３４１４は、ボディ部３３１０の上側ボディ幅３４２０より大きいレッジ部幅３４１８（図３９に示す）を有してもよい。一例では、レッジ部幅３４１４８は、概してバック部３３７０の上側ウォール３４１２によって画定される平面３４１３と、概してバック部３３７０の下側ウォール３４１６によって画定される平面３４１７との間に延在するバック部３３７０の表面の幅として定義されてもよい。上側ボディ幅３４２０は、水平中央平面４１２０又はその上側のボディ部３３１０の幅として定義されてもよい。一例によれば、レッジ部幅３４１８は、約０．５から約１．０の範囲の倍数で上側ボディ幅３４２０より広くてもよい。別の例によれば、レッジ部幅３４１８は、約１．５の倍数で上側ボディ幅３４２０より広くてもよい。別の例によれば、レッジ部幅３４１８は、約３．０の倍数で上側ボディ幅３４２０より広くてもよい。従って、本明細書に記載例によるゴルフクラブヘッドは、約０．５以上から約３．０以下の倍数で上側ボディ幅３４２０より広いレッジ部幅３４１８を有することができる。従って、水平中央平面４１２０又はその近く又はその下側のボディ幅３９９０は、水平中央平面４１２０又はその近く又はその下側のボディ幅３９９０の約２０％から８０％であるキャビティ幅３８４０を提供できる上側ボディ幅３４２０よりも、実質的に大きくすることができる。更に、凹部３４１０は、ゴルフクラブヘッド３３００が、概して水平中央平面４１２０の上側よりも水平中央平面４１２０の下側の質量が大きくなることを許容する。換言すれば、凹部３４１０を画定するようにゴルフクラブヘッド３３００から除去された質量は、水平中央平面４１２０の周囲及び下側にあるボディ部３３１０の後方又はバック部に移動されてもよい。
【０１３１】
ボディ幅３９９０の約２０％−８０％となるキャビティ幅３８４０を概して維持するように、キャビティ幅３８４０は、ソール部３３９０の近く又は水平中央平面４１２０の下側で、トップ部３３８０の近く又は水平中央平面４１２０の上側よりも大きくてもよい。一例によれば、キャビティ幅３８４０は、概して、トップ部３３８０とソール部３３９０の間及びトウ部３３４０とヒール部３３５０の間の特定の領域でボディ幅３９９０の変化に従って変化してもよい。例えば、図４０に示すように、キャビティ幅３８４０は、概して、トップ部３３８０とソール部３３９０の間のボディ部３３１０の特定の領域でボディ幅３９９０に従って変化してもよい。本明細書に記載の器具、方法、及び製造物は、これに限定されない。
【０１３２】
一例では、内部キャビティ３８００は、無充填（例えば、空の空間）であってもよい。内部キャビティ３８００を含むボディ部３３００は、内部キャビティ３８００を含まないボディ部３３００よりも少ない約１００グラムの重量であってもよい。あるいは、内部キャビティ３８００は、衝撃を吸収し、振動を分離し、及び／又はノイズを減衰するように、弾性ポリマー又はエラストマー材料（例えば、オハイオ州、ケント、Ｓｏｒｂｏｔｈａｎｅ社製のＳｏｒｂｏｔｈａｎｅ（登録商標）のような粘弾性ウレタンポリマー材料）、熱可塑性エラストマー材料（ＴＰＥ）、熱可塑性ポリウレタン材料（ＴＰＵ）、及び／又は他の適切なタイプの材料で、部分的に又は完全に充填されてもよい。例えば、内部キャビティ３８００の少なくとも５０％は、ゴルフクラブヘッド３３００がフェース部３３６２を介してゴルフボールを打つときに、衝撃を吸収し、振動を分離し、及び／又はノイズを減衰するように、ＴＰＥ材料で充填されてもよい。
【０１３３】
別の例では、内部キャビティ３８００は、ゴルフクラブヘッド３３００がフェース部３３６２を介してゴルフボールを打つときに、衝撃を吸収し、振動を分離し、及び／又はノイズを減衰するように、部分的に又は完全に、エチレン共重合体材料などのポリマー材料で充填されてもよい。具体的には、内部キャビティ３８００の少なくとも５０％は、高密度エチレン共重合体アイオノマー、脂肪酸変成エチレン共重合体アイオノマー、高非晶質エチレン共重合体アイオノマー、エチレン酸アクリレート三元共重合体のアイオノマー、マグネシウムアイオノマーを含むエチレン共重合体、様々な形状を作り出す従来の射出成形装置で使用される射出成型可能なエチレン共重合体、様々な形状を作り出す従来の押出し装置で使用できるエチレン共重合体、及び／又は熱硬化性ポリブタジエンゴムに類似した高圧縮性及び低反発性のエチレン共重合体で充填されてもよい。例えば、エチレン共重合体は、デラウェア州、ウィルミントンのＥ．Ｉ．ｄｕ  Ｐｏｎｔ  ｄｅ  Ｎｅｍｏｕｒｓ  ａｎｄ  Ｃｏｍｐａｎｙ社製の、ＤｕＰｏｎｔ（登録商標）高性能樹脂（ＨＰＦ）ファミリーの材料（例えば、ＤｕＰｏｎｔ（登録商標）ＨＰＦ  ＡＤ１１７２、ＤｕＰｏｎｔ（登録商標）  ＨＰＦ  ＡＤ１０３５、ＤｕＰｏｎｔ（登録商標）  ＨＰＦ  １０００、及びＤｕＰｏｎｔ（登録商標）  ＨＰＦ  ２０００）に関連するエチレン共重合体のいずれかを含んでもよい。エチレン共重合体のＤｕＰｏｎｔ（登録商標）ファミリーは、射出成型可能であり、低圧縮性及び高反発力を提供する従来の射出成形装置及び型を使用することができる。本明細書に記載の器具、方法、及び製造物は、これに限定されない。
【０１３４】
本明細書で説明したように、キャビティ幅３８４０は、水平中央平面４１２０又はその下側でボディ幅３９９０の約２０％−８０％の間で変化してもよい。一例では、内部キャビティ３８００の一部又は全部を満たす弾性ポリマー又はエラストマー材料の少なくとも５０％は、ゴルフクラブヘッド３３００の水平中央平面４１２０の下側に配置されてもよい。従って、ゴルフクラブヘッド３３００の重心は、ボディ幅の約２０％より小さいキャビティ幅を持ち且つ部分的に又は完全に弾性ポリマー又はエラストマー材料で充填されたゴルフクラブヘッドと比較して、更に低くすることができ且つ更に後方に移動させることができる。更に、ゴルフクラブヘッド３３００は、ゴルフクラブヘッド３３００がフェース部３３６２を介してゴルフボールを打つときに、ボディ幅の約２０％より小さくて部分的に又は完全に弾性ポリマー又はエラストマー材料で充填されたキャビティ幅を持つゴルフクラブヘッドと比較して、相対的により一貫した感触、音、及び／又は結果を生み出すことができる。
【０１３５】
フェース部３３６２の厚さは、本明細書で詳細に説明し及び図１５、１６で例示したように、トップ部３３８０とソール部の間及びトウ部３３４０とヒール部の間で変化してもよい。従って、フェース部３３６２の厚さの変化の詳細な説明は、提供されない。本明細書に記載の器具、方法、及び製造物は、これに限定されない。
【０１３６】
他のゴルフクラブヘッドのデザインと異なり、ボディ部３３１０の内部キャビティ３８００と、ゴルフクラブヘッド３３００の周囲に沿った第１及び第２セットのウェイト部３３２０、３３３０のそれぞれの位置は、フェース部３３６２から離れていくゴルフボールに相対的に高い打ち出し角と相対的に低いスピンレートをもたらすことができる。その結果、ゴルフボールは、遠くに移動することができる（すなわち、キャリー及びロール距離を含む総距離が大きくなる）。
【０１３７】
ゴルフクラブヘッド３３００は、本明細で説明し図１７に示した任意の方法で作製されてもよい。従って、ゴルフクラブヘッド３３００を製造する方法の詳細な説明は、提供されない。
【０１３８】
図３７及び４１に示すように、例えば、ゴルフクラブヘッド３３００は、内部キャビティ３８００に通じる１以上のウェイトポート（例えば、フェイとポート３５２１及び３５３１として１つ示される）を含んでもよい。ウェイトポート３５３１は、第１開口部３９３０及び第２開口部３９３５を含んでもよい。第２開口部３９３５は、内部キャビティ３８００にアクセスするために用いられてもよい。一例では、プロセス１７００（図１７）は、第１開口部３９３０から第２開口部３９３５を介して内部キャビティ３８００に弾性ポリマー材料を注入することで、内部キャビティ３８００に弾性ポリマー材料を充填してもよい。第１開口部３９３０及び第２開口部３９３５は、それぞれ、サイズ及び／又は形状が同じでもよく、異なってもよい。ウェイトポート３５２１は、第１開口部４０３０及び第２開口部４３０５を含んでもよい。第２開口部４０３５は、内部キャビティ３８００にアクセスするために用いられてもよい。一例では、プロセス１７００（図１７）は、ウェイトポート３５３１から内部キャビティ３８００に弾性ポリマー材料を注入することで、内部キャビティ３８００に弾性ポリマー材料を充填してもよい。弾性ポリマー材料が内部キャビティ３８００を満たすにつれて、弾性ポリマー材料によって置換された内部キャビティ３８００内の空気は、ウェイトポート３５２１から第２開口部４０３５及びその後に第１開口部４０３０を通じて内部キャビティから排出されてもよい。キャビティが弾性ポリマー材料で部分的に又は完全に充填された後、ウェイトポート３５３１及び３５２１は、本明細書で詳細に説明したように、ウェイト部を挿入して固定することによって閉鎖されてもよい。あるいは、弾性ポリマー材料は、ウェイトポート３５２１から内部キャビティ３８００内に注入されてもよい。従って、ウェイトポート３５３１は、内部キャビティ３８００内の置換された空気の排出ポートとして機能することができる。上記の例は第２開口部を持つ特定のウェイトポートを示して説明したが、ゴルフクラブヘッド４２００の他の任意のウェイトポートが第２開口部を含んでもよい（例えば、ウェイトポート３５３２）。本明細書に記載の器具、方法、及び製造物は、これに限定されない。
【０１３９】
図４３は、本明細書に記載のゴルフクラブヘッド１００又は任意のゴルフクラブヘッドの内部キャビティ７００に、部分的に又は完全に弾性ポリマー材料又はエラストマー材料（例えば、ＴＰＥ材料などの図２８に示す弾性ポリマー材料２８２０）を充填する１つの方法を示す。プロセス４３００は、ゴルフクラブヘッド１００のフェース部１６２のバック面１６６に結合剤を結合することで開始してもよい（ブロック４３１０）。結合剤は、仮の結合状態である初期結合状態と、永続的な結合状態である最終結合状態とを有してもよい。初期結合状態及び最終結合状態は、結合剤が熱、放射線、及び／又は他の化合物に曝されたときに活性化されてもよい。例えば、本明細書に詳細に記載したように、結合剤は、導通、対流及び／又は放射線によって一定期間異なる温度に加熱されることでそれぞれ活性化される初期硬化状態及び最終硬化状態を有するエポキシ樹脂であってもよい。別の例では、結合剤は、異なる放射線量及び／又は紫外線放射期間に曝されることで初期結合状態及び最終結合状態にそれぞれ活性化される結合材であってもよい。別の例では、結合剤は、異なる化合物又は同じ化合物の異なる量に曝されることで初期結合状態及び最終結合状態にそれぞれ活性化される結合材であってもよい。プロセス４３００によれば、結合剤は、初期結合状態に活性化されることでフェース部のバック面に結合されてもよい。次いで、弾性ポリマー材料は、ゴルフクラブヘッド１００の内部キャビティ７００に注入される（ブロック４３２０）。次いで、プロセス４３００は、弾性ポリマー材料を結合剤に結合することを含む（ブロック４３３０）。弾性ポリマー材料を結合剤に結合させることは、結合剤を最終結合状態に活性化させて、弾性ポリマー材料を結合剤に永続的に結合させると共に結合剤をフェース部１６２のバック面１６６に永続的にさせることを含む。プロセス４３００の例は、単に、ゴルフクラブヘッド１００を製造する１つの方法の例を他の図と共に提供し、説明している。アクションの特定の順序を図４３に示しているが、これらのアクションは、他の経時的な順番で実行されてもよい。更に、図４３に示す２以上のアクションは、連続して、同時に、又は一斉に実行されてもよい。
【０１４０】
図４４は、本明細書に記載のゴルフクラブヘッド１００又は任意のゴルフクラブヘッドの内部キャビティ７００に、部分的に又は完全に弾性ポリマー材料又はエラストマー材料（例えば、ＴＰＥ材料などの図２８に示す弾性ポリマー材料２８２０）を充填する１つの方法を示す。プロセス４４００は、結合剤（例えば、図２８の結合部２８１０）をゴルフクラブヘッド１００のフェース部１６２のバック面１６６に塗布することで開始してもよい（ブロック４４１０）。結合剤は、任意のタイプの接着剤及び／又は他の適切な材料であってもよい。一例では、結合剤は、エポキシ樹脂であってもよい。結合剤を塗布する前に、ゴルフクラブヘッド１００は、ゴルフクラブヘッド１００（不図示）から任意のオイル、他の化学物質、破片又は他の意図しない材料を除去するために浄化されてもよい。結合剤は、結合剤の特性に基づいて本明細書に記載のようにバック面１６６に塗布されてもよい。結合剤は、第１セットのウェイトポート１４２０及び／又は第２セットのウェイトポート１４３０の１以上を通じてフェース部１６２のバック面１６６に塗布されてもよい。例えば、結合剤は、液体形態であって、第１セットのウェイトポート１４２０及び第２セットのウェイトポート１４３０の幾つか又は全てを通じてバック面１６６に噴射されてもよい。ノズル又は針などの噴射器具（不図示）は、噴射器具の先端又は出口部がバック面１６６に近付くまで、各ウェイトポートに挿入されてもよい。次いで、結合剤は、噴射器具の出口部からバック面１６６に噴射される。従って、噴射器具は、結合剤が噴射器具の周囲のバック面１６６の領域に噴射されるように、内部キャビティ７００の内部で移動、回転及び／又は旋回されてもよい。例えば、噴射器具の出口部は、バック面１６６の環状パターンに対応して結合剤が噴射されるように、ウェイトポートの内側を環状パターンで移動されてもよい。第１セットのウェイトポート１４２０及び第２セットのウェイトポート１４３０の各々は、バック面１６６に結合剤を噴射するのに使用されてもよい。しかしながら、第１セットのウェイトポート１４２０及び／又は第２セットのウェイトポート１４３０の全ての使用を必要としなくてもよい。例えば、全ての他の隣接するウェイトポートの使用は、バック面１６６全体に結合剤を噴射するのに十分であり得る。別の例では、ウェイトポート１４２１、１４２２、１４３１、１４３３及び１４３６は、バック面１６６に結合剤を噴射するのに使用されてもよい。器具、方法、及び製造物は、これに限定されない。
【０１４１】
プロセス４４００はまた、バック面１６６に結合剤の略均一な被膜が提供されるように、バック面１６６に結合剤を噴射した後でバック面１６６（不図示）に結合剤を広げることを含んでもよい。一例によれば、結合剤は、第１セットのウェイトポート１４２０及び／又は第２セットのウェイトポート１４３０の１以上を通じて内部キャビティ７００に空気を噴射することによって、バック面１６６に広げられてもよい。空気は、第１セットのウェイトポート１４２０及び／又は第２セットのウェイトポート１４３０の１以上に空気ノズルを挿入することによって、内部キャビティ７００及びバック面１６６に噴射されてもよい。一例によれば、空気ノズルは、バック面１６６における結合剤の均一な被膜又は略均一な被膜のために、結合剤に空気を均一に吹き付けてバック面１６６に結合剤が広がるように、バック面１６６から一定距離で回転、移動及び／又は旋回されてもよい。一例では、ゴルフクラブヘッド１００は、結合剤がフェース部１６２のバック面１６６の一部又は実質的に全ての領域に沿って広がるように、１つ又は複数の方向で前後に旋回されてもよい。一例では、ゴルフクラブヘッド１００は、結合剤が均一な被膜の形態又は略均一な被膜の形態でバック面１６６に広がり又は重なるように、フェース部１６２のバック面１６６を概して水平に向けて振動されてもよい。器具、方法、及び製造物は、これに限定されない。
【０１４２】
プロセス４４００の例は、単に、ゴルフクラブヘッド１００を製造する１つの方法の例を他の図と共に提供し、説明している。アクションの特定の順序を図４４に示しているが、これらのアクションは、他の経時的な順番で実行されてもよい。更に、図４４に示す２以上のアクションは、連続して、同時に、又は一斉に実行されてもよい。プロセス４４００は、結合剤を噴射してバック面１６６を均一又は略均一に被膜する単一のアクション（不図示）を含んでもよい。一例では、結合剤は、微粒子又は小滴に変換（すなわち、霧化）されてバック面１６６にスプレーされることによって、バック面１６６に噴射されてもよい。従って、バック面１６６は、１つのアクションで、結合剤で均一又は略均一に被膜されてもよい。結合剤によるバック面１６６の略均一な被膜は、噴射工程又は製造工程に起因する僅かな非均一性を持つ被膜として定義されてもよい。しかしながら、そのような僅かな非均一性は、本明細書に記載の結合剤でバック面１６６に弾性ポリマー材料又はエラストマー材料を結合するのに影響を及ぼさない。例えば、バック面１６６への結合剤のスプレーで、バック面１６６の結合剤の他の領域よりも僅かに大きい厚さの被膜を有する結合剤の重複領域が得られる。器具、方法、及び製造物は、これに限定されない。
【０１４３】
図４５に示す一例では、結合剤は、曝される温度又は時間に基づいて異なる硬化状態を有するエポキシ樹脂であってもよい。結合剤は、未硬化状態、初期硬化状態、及び最終硬化状態を有してもよい。一例では、未硬化状態は、液体状態であってもよく、初期硬化状態は、ゲル又は半固体／半液体状態であってもよく、最終硬化状態は、固体状態であってもよい。結合剤は、結合剤が初期硬化状態温度（Ｔｅｍｐi）と最終硬化状態温度（Ｔｅｍｐf）の間の温度で一定期間加熱されると、未硬化状態から初期硬化状態に移行してもよい。従って、初期硬化状態温度の範囲は、初期硬化状態温度Ｔｅｍｐi以上で最終硬化状態温度Ｔｅｍｐf以下の温度によって定義することができる。結合剤は、最終硬化状態温度Ｔｅｍｐf以上の温度で一定期間加熱されると、初期硬化状態から最終硬化状態に移行してもよい。従って、最終硬化状態温度の最終硬化状態温度Ｔｅｍｐf以上の温度によって定義することができる。図４５に示すように、初期硬化状態温度Ｔｅｍｐi及び最終硬化状態温度Ｔｅｍｐfは、結合剤が加熱される時間の長さに基づいて変化し得る。特に、未硬化状態から初期硬化状態への移行及び初期硬化状態から最終硬化状態への移行は、結合剤の特性に基づく特定の温度及び時間プロファイルで決定づけられる。初期硬化温度Ｔｅｍｐiより低い温度では、結合剤は未硬化状態（例えば、液体状態）であってもよい。初期硬化状態では、結合剤は、完全な架橋結合を得ることなく又は永続的な結合を形成することなく、対象物との初期結合を形成すると共に操作（例えば、移動、拡張、重ね合わせ、等）のための柔軟性があってもよい。換言すれば、結合剤は、永続的な結合を形成することなく、対象物との初期結合を形成すると共に操作され得る。最終硬化状態では、結合剤の結合（例えば、エポキシ樹脂を含む結合剤による架橋結合）は、完了してもよく、又は取り外し不能になってもよい。
【０１４４】
結合剤は、結合剤が液体状態である未硬化状態のときに、フェース部１６２のバック面１６６に塗布されてもよい。続いて、ゴルフクラブヘッド１００及び／又は結合剤は、結合剤を未硬化状態から初期硬化状態に変化するように、初期硬化状態温度Ｔｅｍｐi以上かつ最終硬化状態温度Ｔｅｍｐfより低い第１の温度Ｔｅｍｐ1に加熱してもよい（すなわち、初期硬化状態温度の範囲）（ブロック４４２０）。従って、結合剤は、フェース部１６２のバック面１６６に初期結合を形成することができる。バック面１６６の結合剤を結合した後、ゴルフクラブヘッドは、周囲又は部屋の温度で一定期間冷却されてもよい（不図示）。従って、結合剤は、内部キャビティ７００に弾性ポリマー材料を射出成型する間において結合剤がバック面１６６に結合されるように、初期硬化状態になってフェース部１６２のバック面１６６に結合されてもよい。周囲又は部屋の温度は、５℃（４１°Ｆ）から４０℃（１０４°Ｆ）の間の部屋の温度として定義されてもよい。第１の温度Ｔｅｍｐ1と、ゴルフクラブヘッド及び／又は結合剤が第１の温度Ｔｅｍｐ1で加熱される期間は、結合剤の硬化又は結合特性に依存し得る。器具、方法、及び製造物は、これに限定されない。
【０１４５】
結合剤がフェース部１６２のバック面１６６に結合された後、ゴルフクラブヘッド１００は、弾性ポリマー材料（不図示）を受ける前に加熱される（すなわち、ゴルフクラブヘッド１００の予熱）。ゴルフクラブヘッド１００は、弾性ポリマー材料がゴルフクラブヘッド１００に注入されるときに、弾性ポリマー材料がゴルフクラブヘッドとの接触によって冷却されず、内部キャビティ７００を満たすために流動する液体形態で留まるように、加熱されてもよい。本明細書において第３の温度と称される、ゴルフクラブヘッドが加熱される温度は、内部キャビティ７００に注入されるときの弾性ポリマー材料の温度と同様であってもよい。しかしながら、ゴルフクラブヘッドが加熱される温度は、最終硬化温度Ｔｅｍｐfより低くてもよい。従って、結合剤は、射出成型工程の間に初期硬化状態から最終硬化状態に移行しないことができる。更に、ゴルフクラブヘッド１００の予熱温度は、内部キャビティ７００に弾性ポリマー材料を射出成型した後にゴルフクラブヘッド１００の過度の冷却が必要にならないように決定されてもよい。内部キャビティ７００に注入する前に、弾性ポリマー材料はまた、液体状態（不図示）になるように加熱されてもよい。弾性ポリマー材料が加熱される温度は、内部キャビティ７００に部分的に又は完全に充填するために使用される弾性ポリマー材料のタイプに依存し得る。更に、弾性ポリマー材料が加熱される温度は、射出成型工程の間に弾性ポリマー材料の収縮が減少するように決定されてもよい。しかしながら、本明細書に記載したように、弾性ポリマー材料は、結合剤の最終硬化温度Ｔｅｍｐfより低い温度に加熱されてもよい。器具、方法、及び製造物は、これに限定されない。
【０１４６】
本明細書に記載したように、内部キャビティ７００は、弾性ポリマー材料を内部キャビティ７００に注入することで、弾性ポリマー材料で部分的に又は完全に充填されてもよい（ブロック４４３０）。弾性ポリマー材料の注入速度は、空気が内部キャビティ７００から出されると共に、注入された弾性ポリマー材料が急速に冷却されるようにしながら、内部キャビティ７００が緩やかに充填されて良好な充填が提供されるように決定されてもよい。例えば、弾性ポリマー材料は、非発泡及び射出成型可能な熱可塑性エラストマー（ＴＰＥ）材料であってもよい。弾性ポリマー材料は、本明細書に記載の１以上のウェイトポート（例えば、図１４に示される第１及び第２セットのウェイトポート１４２０、１４３０のそれぞれの１以上のウェイトポート）から内部キャビティ７００に注入されてもよい。１以上のウェイトポートは、弾性ポリマー材料によって置換された内部キャビティ７００の内部の空気が内部キャビティ７００から排気されることを可能にしてもよい。一例では、ゴルフクラブヘッド１００は、射出成型工程の間、図１４に示すように水平に向けられてもよい。弾性ポリマー材料は、ウェイトポート１４３１及び１４３２から内部キャビティ７００に注入されてもよい。ウェイトポート１４２１、１４２２及び／又は１４２３は、内部キャビティ７００から置換された空気を排気するための通気孔として機能してもよい。従って、射出成型工程中のゴルフクラブヘッド１００の向きに関わらず、弾性ポリマー材料は、１以上の上側にあるウェイトポートを通気孔として機能させながら、１以上の下側にあるウェイトポートから内部キャビティ７００に注入されてもよい。
【０１４７】
一例によれば、置換された空気を排気するための排気ポートとして使用されるゴルフクラブヘッド１００の任意の１つのウェイトポート又は任意の排気口は、射出成型工程中に真空源（不図示）に接続されてもよい。従って、内部キャビティ７００の内部の空気及び弾性ポリマー材料によって置換された空気は、真空源によって内部キャビティ７００から除去することができる。従って、内部キャビティ７００に閉じ込められた空気のポケット及び／又は内部キャビティ７００の弾性ポリマー材料による不均一な充填が生じる可能性を減らすことができる。本明細書に記載の器具、方法、及び製造物は、これに限定されない。
【０１４８】
弾性ポリマー材料が内部キャビティ７００に注入された後、ゴルフクラブヘッド１００は、結合剤を再活性化させて弾性ポリマー材料を結合剤に結合させるように、結合剤の最終硬化温度Ｔｅｍｐf以上の第２の温度Ｔｅｍｐ2に加熱されてもよい（すなわち、最終硬化状態温度の範囲）（ブロック４４４０）。第２の温度Ｔｅｍｐ2と、ゴルフクラブヘッドが第２の温度Ｔｅｍｐ2で加熱される期間は、図４５に示すように、ゴルフクラブヘッド１００と結合剤の間及び弾性ポリマー材料と結合剤の間の永続的な結合を形成するための結合剤の特性に依存し得る。ゴルフクラブヘッド１００は、周囲又は部屋の温度で一定期間冷却されてもよい（不図示）。一例によれば、ゴルフクラブヘッドの特性時間（ＴＣ）は、本明細書に記載したようにゴルフクラブヘッドを作成した後で測定（不図示）されてもよい。ＣＴ測定は、ゴルフクラブヘッドが１以上のゴルフ管理団体によって確立されたＣＴルールに準拠しているかどうかを判定することができる。
【０１４９】
本明細書に記載の加熱及び冷却工程は、導通、対流、及び／又は放射線によって実行されてもよい。例えば、加熱及び冷却工程の全ては、本明細書で説明したようにゴルフクラブヘッド１００を加熱又は冷却環境を通して一定期間移動させるコンベアベルトを使用する加熱又は冷却システムを用いることで実行されてもよい。本明細書に記載の器具、方法、及び製造物は、これに限定されない。
【０１５０】
発泡性弾性ポリマー材料のような低い弾性率を持つ弾性ポリマー材料は、フェース部１６２がゴルフボールに衝突するときのフェース部１６２に関する振動及びノイズの減衰を提供することができる。非発泡性弾性ポリマー材料のような高い弾性率を持つ弾性ポリマー材料は、振動及びノイズの減衰を提供することに加えて、フェース部１６２に構造的支持を提供することができる。従って、弾性ポリマー材料は薄いフェース部１６２に構造的支持を提供することができるので、内部キャビティ７００が非発泡性弾性ポリマー材料で充填する場合は薄いフェース部１６２を提供することができる。一例では、内部キャビティ７００に射出成型された弾性ポリマー材料は、フェース部１６２に構造的支持を提供するように比較的高い弾性率を有すると共に、ゴルフボールを打つときにフェース部１６２が受ける衝撃力を吸収するように弾性的に撓んでもよい。従って、比較的高い弾性率を有する非発泡及び射出成型可能な弾性ポリマー材料は、振動及びノイズの減衰を提供することに加えてフェース部１６２の構造的支持及び補強を提供するように、内部キャビティ７００を部分的に又は完全に充填するために使用されてもよい。すなわち、非発泡及び射出成型可能な弾性ポリマー材料は、フェース部１６２のための構造的支持部であってもよい。器具、方法、及び製造物は、これに限定されない。
【０１５１】
上記の例は、アイアン型又はウェッジ型ゴルフクラブヘッドを説明したが、本明細書に記載の器具、方法、及び製造物は、他のタイプのゴルフクラブヘッドに適用されてもよい。
【０１５２】
「and（及び）」と「or（又は）」の用語は、論理積及び論理和の意味の両方を有し得る。「a」と「an」の用語は、本開示で別段示さない限り、１又は複数のものとして定義される。「coupled（結合）」及びその任意の変形は、２以上の要素を化学的、機械的、及び／又は他の方法で直接又は間接に接続することを指す。「removably connected（取り外し可能に接続された）」という語句は、取り外し可能に接続された２つの要素が、いずれかの要素の有用性を破壊又は損なうことなしに互いに分離できるように定義される。
【０１５３】
「substantially（実質的に，略、など）」の用語は、要素の特徴、パラメータ、特性、又は値の説明に使用される場合、要素が提供しようとする特徴、パラメータ、特性、又は値を損なわない偏差又は変動を表し得る。要素の特徴、パラメータ、特性、又は値の偏差又は変動は、例えば、許容誤差、測定誤差、測定精度限界及び他の要因に基づき得る。「proximate（近接する）」の用語は、「adjacent（隣接する）」、「close（近い）」、「immediate（接近した）」、「nearby（近隣の）」等の用語と同義であり、このような用語は、本開示に現れるように交換可能に使用され得る。
【０１５４】
本明細書に記載の器具、方法、及び製造物は、種々の実施形態で実施することができ、これらの実施形態の幾つかの上記説明は、必ずしも全ての可能な実施形態の完全な説明を表すものではない。代わりに、図面の説明、及び図面自体は、少なくとも１つの実施形態を開示し、及び代替の実施形態を開示してもよい。
【０１５５】
ゴルフのルールが時々変更されるように（例えば、ゴルフ標準団体及び／又は全米ゴルフ協会（ＵＳＧＡ）、全英ゴルフ協会（Ｒ＆Ａ）、等のような運営組織によって、新しい規則が採択されてもよく又は古い規則が変更されてもよい）、本明細書に記載の器具、方法、及び製造物に関連するゴルフ用品は、任意の特定の時点のゴルフのルールに適合しても適合しなくてもよい。従って、本明細書に記載の器具、方法、及び製造物に関連するゴルフ用品は、適合又は不適合のゴルフ用品として宣伝され、売りに出され、及び／又は販売されてもよい。本明細書に記載の器具、方法、及び製造物は、これに限定されない。
【０１５６】
器具、方法、及び製造物の特定の例を本明細書で説明したが、本開示の対象領域はこれに限定されない。これに対し、本開示は、添付の特許請求の範囲又は均等論のスコープ内に公正に入る全ての器具、方法、及び製造物をカバーする。
【図１】
2018138196.tif 000003
【図２】
2018138196.tif 000004
【図３】
2018138196.tif 000005
【図４】
2018138196.tif 000006
【図５】
2018138196.tif 000007
【図６】
2018138196.tif 000008
【図７】
2018138196.tif 000009
【図８】
2018138196.tif 000010
【図９】
2018138196.tif 000011
【図１０】
2018138196.tif 000012
【図１１】
2018138196.tif 000013
【図１２】
2018138196.tif 000014
【図１３】
2018138196.tif 000015
【図１４】
2018138196.tif 000016
【図１５】
2018138196.tif 000017
【図１６】
2018138196.tif 000018
【図１７】
2018138196.tif 000019
【図１８】
2018138196.tif 000020
【図１９】
2018138196.tif 000021
【図２０】
2018138196.tif 000022
【図２１】
2018138196.tif 000023
【図２２】
2018138196.tif 000024
【図２３】
2018138196.tif 000025
【図２４】
2018138196.tif 000026
【図２５】
2018138196.tif 000027
【図２６】
2018138196.tif 000028
【図２７】
2018138196.tif 000029
【図２８】
2018138196.tif 000030
【図２９】
2018138196.tif 000031
【図３０】
2018138196.tif 000032
【図３１】
2018138196.tif 000033
【図３２】
2018138196.tif 000034
【図３３】
2018138196.tif 000035
【図３４】
2018138196.tif 000036
【図３５】
2018138196.tif 000037
【図３６】
2018138196.tif 000038
【図３７】
2018138196.tif 000039
【図３８】
2018138196.tif 000040
【図３９】
2018138196.tif 000041
【図４０】
2018138196.tif 000042
【図４１】
2018138196.tif 000043
【図４２】
2018138196.tif 000044
【図４３】
2018138196.tif 000045
【図４４】
2018138196.tif 000046
【図４５】
2018138196.tif 000047